(57)【要約】  本願の主題は、端末（１０２，２０２）に関係付けられる１又はそれより多くのトラフィック・フローへ適切なＱｏＳ処理を供することに関連し、ここにおいて、該ＱｏＳ処理は、該端末に割り当てられたプロフィール（８００）内で定められ、そして該端末がネットワークへのアクセスを要請するときに実行される。アクセス・ノード（１０４，２０４）は、該端末に関係付けられる識別証印を受信することが可能であり、そして認証及び認可サーバ（ＡＡＳ）（１０６，２０６）にそのような証印を中継する。該ＡＡＳは、その後、該端末に関係する１又はそれより多くのトラフィック・フローに関係付けるためのＱｏＳ処理を定めるプロフィールをアクセス・ノードへ提供することが可能である。
2009533984.tif 000002
【特許請求の範囲】
【請求項１】
端末に関するＱｏＳを設定するための方法、前記方法は、
前記端末に関係付けられる識別証印（identifying indicia）を受信すること；及び
前記識別証印の受信の後で、前記端末に通信で接続されるアクセス・ノードへプロフィールを引き続いて配信すること、ここで、前記プロフィールは、前記端末に関係付けられる１又はそれより多くのトラフィック・フローに関する処理を指定するパラメータ、及び指定された処理に少なくとも１つのトラフィック・フローを関係付ける１又はそれより多くのフィルタ規則を含む、
を具備する方法。
【請求項２】
前記識別証印に少なくとも部分的に基づいて前記端末に関する認証及び認可を実行すること、をさらに具備する、請求項１の方法。
【請求項３】
前記識別証印は、加入者ＮＡＩと端末ＮＡＩとのうちの少なくとも１つを具備する、請求項１の方法。
【請求項４】
前記識別証印の受信の後で、前記端末に通信で接続される複数のアクセス・ノードへプロフィールを配信すること、をさらに具備する、請求項１の方法。
【請求項５】
認証及び認可サーバは、請求項１の前記方法を実行するように構成される、請求項１の方法。
【請求項６】
ネットワークへのアクセスを要請している端末に関係付けられる識別証印を解析し、そして前記解析に少なくとも部分的に基づいてプロフィールを提供するための命令を保持するメモリ、ここで、前記プロフィールは、前記端末に関係付けられる複数のトラフィック・フローに関するＱｏＳパラメータを含む；及び
前記命令を実行するプロセッサ、
を具備する、通信装置。
【請求項７】
前記通信装置は、認証及び認可サーバである、請求項６の通信装置。
【請求項８】
前記ＱｏＳパラメータは、前記複数のトラフィック・フローに関係付けられる待ち時間、前記複数のトラフィック・フローに関係付けられる最小データ・レート、及び前記複数のトラフィック・フローに関係付けられる最大データ・レート、のうちの１又はそれより多くに関連する、請求項６の通信装置。
【請求項９】
１又はそれより多くのネットワーク・サービスへのアクセスを要請している無線端末に関係付けられる識別証印を受信するための手段；及び
前記識別証印の受信の後で、前記端末に通信で接続されるアクセス・ノードへプロフィールを引き続き配信するための手段、ここで、前記プロフィールは、前記端末に関係付けられる１又はそれより多くのトラフィック・フローに関するＱｏＳパラメータを規定する、
を具備する、通信装置。
【請求項１０】
前記プロフィールを生成するための手段、をさらに具備する、請求項９の通信装置。
【請求項１１】
前記識別証印を受信するとプロフィールのデータベースから前記プロフィールを検索するための手段、をさらに具備する、請求項９の通信装置。
【請求項１２】
機械実行可能な命令を記憶している機械読取り可能な媒体、前記命令は、
端末と加入者とのうちの少なくとも１つの識別情報を受信する；及び
前記端末と前記加入者とのうちの前記少なくとも１つに割り当てられたプロフィールを基地局へ配信する、ここにおいて、前記プロフィールは、前記端末と前記加入者とのうちの前記少なくとも１つに関係付けられる１又はそれより多くのトラフィック・フローに対するＱｏＳパラメータを規定し、そして前記１又はそれより多くのトラフィック・フローへの少なくとも１つの指定されたＱｏＳ処理を関係させるフィルタ規則を含む、
ための命令である、機械読取り可能な媒体。
【請求項１３】
前記プロフィール内の規定された少なくとも２つのＱｏＳパラメータは、相互に関係する、請求項１２の機械読取り可能な媒体。
【請求項１４】
命令を実行するプロセッサ、前記命令は、
１又はそれより多くのネットワーク・サービスへのアクセスを要請している無線端末に関係付けられる識別証印を受信する；及び
前記無線端末に通信で接続される基地局へプロフィールを配信する、ここで、前記プロフィールは、前記無線端末に関係付けられる１又はそれより多くのトラフィック・フローへ供するためのＱｏＳ処理、及び前記１又はそれより多くのトラフィック・フローへ指定されたＱｏＳ処理を関係させるフィルタ規則を含む、
命令である、プロセッサ。
【請求項１５】
前記無線端末に関係付けられる申込みの変化に基づいて前記プロフィールを更新する、
命令を実行するようにさらに構成された、請求項１４のプロセッサ。
【請求項１６】
端末に関係付けられる１又はそれより多くのトラフィック・フローへＱｏＳ処理を供するための方法、前記方法は、
無線端末に割り当てられたプロフィールを受信すること、ここで、前記プロフィールは、１又はそれより多くのトラフィック・フローに関係する前記無線端末に供するためのＱｏＳ処理、及び前記１又はそれより多くのトラフィック・フローへのデータ・パケットの割り当て及び指定されたＱｏＳ処理と前記データ・パケットとの関係付けを容易にするフィルタ規則を含む、
前記プロフィールの内容に少なくとも部分的に基づいて前記１又はそれより多くのトラフィック・フローへＱｏＳ処理を供すること、
を具備する方法。
【請求項１７】
前記無線端末に関係付けられる識別証印を決定すること、及び
認証及び認可サーバに前記識別証印を中継すること、
をさらに具備する、請求項１６の方法。
【請求項１８】
アクセス・ノードのリソース利用可能性及び前記プロフィールの内容に少なくとも部分的に基づいて前記１又はそれより多くのトラフィック・フローへＱｏＳ処理を供すること、ここで、前記プロフィールは、前記端末の認証に引き続いてＡＡＳから受信される、
をさらに具備する、請求項１６の方法。
【請求項１９】
トラフィック・フローのための複数のＱｏＳ処理は、相互に関係する、請求項１６の方法。
【請求項２０】
請求項１６の方法を実行するように構成された基地局。
【請求項２１】
無線端末に関係付けられるプロフィールを保持するメモリ、ここで、前記プロフィールは、前記無線端末に関係付けられる複数のトラフィック・フローへ供するためのＱｏＳ処理を含む、及び
前記プロフィールの内容に少なくとも部分的に基づいて適切なＱｏＳ処理を供するプロセッサ、
を具備する、通信装置。
【請求項２２】
認証及び認可サーバへ端末と加入者とのうちの少なくとも１つを識別するデータを提供するための手段、
前記認証及び認可サーバから前記端末と前記加入者とのうちの前記少なくとも１つに割り当てられたプロフィールを受信するための手段、ここで、前記プロフィールは、前記端末に関係付けられる１又はそれより多くのトラフィック・フローへ供するためのＱｏＳ処理を規定し、そして前記１又はそれより多くのトラフィック・フローに対応するデータ・パケットへ指定されたＱｏＳ処理を関係させるフィルタ規則を含む、及び
前記プロフィールの内容に少なくとも部分的に基づいて前記１又はそれより多くのトラフィック・フローへＱｏＳ処理を供するための手段、
を具備する基地局。
【請求項２３】
機械実行可能な命令を記憶している機械読取り可能な媒体、前記命令は、
端末と加入者とのうちの少なくとも１つに割り当てられたプロフィールを受信する、ここで、前記プロフィールは、１又はそれより多くのトラフィック・フローに関係する前記無線端末に供するためのＱｏＳ処理、及び前記１又はそれより多くのトラフィック・フローにデータ・パケットを割り当てることを容易にするフィルタ規則を含む、及び
前記プロフィールの内容に少なくとも部分的に基づいて前記１又はそれより多くのトラフィック・フローへＱｏＳ処理を供する、
ための命令である、機械読取り可能な媒体。
【請求項２４】
命令を実行するプロセッサ、前記命令は、
認証及び認可サーバへ端末と加入者とのうちの少なくとも１つを識別するデータを提供する、
前記認証及び認可サーバから前記端末と前記加入者とのうちの前記少なくとも１つに割り当てられたプロフィールを受信する、ここで、前記プロフィールは、前記端末に関係付けられる１又はそれより多くのトラフィック・フローへ供するためのＱｏＳ処理を規定する、及び
前記プロフィールの内容に少なくとも部分的に基づいて前記１又はそれより多くのトラフィック・フローへＱｏＳ処理を供する、
命令である、プロセッサ。
【発明の詳細な説明】
【関連文献】
【０００１】
本出願は、米国特許仮出願第６０／７９２，０１２号、名称；変化のないサービスの品質のための方法及び装置、２００６年４月１４日出願、の利点を主張する。この出願の全体は、引用により本明細書中に取り込まれている。
【技術分野】
【０００２】
下記の説明は、一般に通信システムに係わり、そして特に、端末に関係する１又はそれより多くのトラフィック・フローに関する洗練されたサービスの品質を提供することに関する。
【背景技術】
【０００３】
通信ネットワーク（例えば、無線通信ネットワーク、ブロードバンド・ネットワーク、及びいずれかの別の好適なネットワーク）が、データを伝達することに関係して利用される、ここにおいて、データは、文書処理ファイル、ストリーミング・ビデオ、マルチメディア・ファイル、音声データ、及び／又はその他、を含むことが可能である。そのようなネットワークを使用するときに、そのネットワークへのある複数の加入者は、他の加入者とは異なるサービスの品質（ＱｏＳ：quality of service）パラメータを提供されることがある。一例にしたがって、第１の人は、ディジタル加入者ライン（ＤＳＬ：Digital Subscriber Line）ネットワークに加入し、そして第１のアップロード速度とダウンロード速度を提供されることができ、一方で、ＤＳＬネットワークに加入した第２の人は、第１の人とは異なる加入料金を支払い、そして異なるアップロード速度とダウンロード速度を提供される。さらにより具体的には、第１の加入者は、１メガバイト／秒のダウンロード接続速度に対して第１の料金を支払うことがあり、一方で第２の加入者は、５１２キロバイト／秒のダウンロード接続速度に対して第２の料金を支払うことがある。
【０００４】
それに加えて、ネットワークのユーザは、異なるサービスを提供されることが可能である。例えば、無線ネットワーク加入者は、ウェブ・ブラウジング、テキスト・メッセージの配信と受信、音声通話、データ伝送（例えば、ビデオ、写真、サウンド・クリップ、．．．）、ゲーム、等、を利用可能にする許可を購入することができる。データ・タイプが異なるので、別のサービスを別のＱｏＳパラメータ（例えば、待ち時間、帯域幅、．．．）に関係付けることが望ましいことがある。従来は、しかしながら、同じＱｏＳ処理が、加入者に関係する異なるサービスに供され、それは結果として、ネットワーク・リソースの次善の利用、同様に加入者に提供されるサービスに関する次善の性能をもたらすことがある。そのように、ウェブ・トラフィックが一般的にデータのバーストに関係し、ところが音声トラフィックが一定になる（そして大きな待ち時間を伴うべきでない）傾向があるとしても、同じＱｏＳ処理が、音声通話とウェブ・ブラウジングに対して供される。
【発明の開示】
【サマリー】
【０００５】
下記は、特許請求をする主題の複数の態様の基本的な理解を提供するために単純化したサマリーを提供する。このサマリーは、完璧な全体像ではなく、そして鍵となる／重要な要素を同定するように又は特許請求する主題の範囲を線引きするようには意図されていない。その唯一の目的は、後で示されるより詳細な説明の前置きとして単純化した形式で複数の概念を示すことである。
【０００６】
特許請求された主題は、加入者（例えば、加入者デバイス又は端末）に関係する１又はそれより多くのトラフィック・フローへ適切なＱｏＳ処理を供することに関連し、ここにおいて、ＱｏＳ処理は、端末に割り当てられたプロフィール内で規定され、そして端末がネットワークへのアクセスを要求するときに実行される。アクセス・ノードは、端末に関係付けられる識別証印（identifying indicia）を受信することができ、そしてそのような証印を認証及び認可サーバ（ＡＡＳ：authentication and authorization server）に中継する。ＡＡＳは、その後、端末に関連する１又はそれより多くのトラフィック・フローに関係付けられるＱｏＳ処理を規定するプロフィールをアクセス・ノードに提供することが可能である。
【０００７】
１態様にしたがえば、端末に関するサービスの品質（ＱｏＳ）を設定するための方法が開示され、ここにおいて、該方法は、該端末に関係付けられる識別証印を受信すること；及び該識別証印の受信の後で、該端末に通信で接続されるアクセス・ノードへプロフィールを引き続き配信すること、を具備する。該プロフィールは、該端末に関係付けられる１又はそれより多くのトラフィック・フローに関する処理を規定するパラメータ、及び少なくとも１つのトラフィック・フローを指定された処理に関係付ける１又はそれより多くのフィルタ規則を含むことができる。それに加えて、通信装置が、本明細書中に記載され、ここにおいて、該通信装置は、ネットワークへのアクセスを要請している端末に関係付けられる識別証印を解析し、そして該解析に少なくとも部分的に基づいてプロフィールを提供するための命令を保持するメモリ、を備えることが可能である。例えば、該プロフィールは、該端末に関係付けられる複数のトラフィック・フローに関するＱｏＳパラメータを含むことが可能である。該通信装置は、それに加えて、該命令を実行するプロセッサ、を含むことが可能である。
【０００８】
別の１つの態様では、通信装置が、下記に開示され、ここにおいて、該通信装置は、１又はそれより多くのネットワーク・サービスへのアクセスを要請している無線端末に関係付けられる識別証印を受信するための手段、を具備する。該通信装置は、それに加えて、該識別証印の受信の後で、該端末に通信で接続されるアクセス・ノードへプロフィールを引き続き配信するための手段、を含むことが可能である。例えば、該プロフィールは、該端末に関係付けられる１又はそれより多くのトラフィック・フローに関するＱｏＳパラメータを規定することが可能である。
【０００９】
さらに別の１つの態様では、機械読取り可能な媒体が記載され、ここにおいて、該機械読取り可能な媒体は、端末と加入者とのうちの少なくとも１つの識別情報を受信するため；及び該端末と該加入者とのうちの該少なくとも１つに割り当てられたプロフィールを基地局へ配信するため、の機械実行可能な命令をその上に記憶している。例えば、該プロフィールは、該端末に関係付けられる１又はそれより多くのトラフィック・フローに対するＱｏＳパラメータを規定し、そして少なくとも１つの指定されたＱｏＳ処理を該１又はそれより多くのトラフィック・フローに関係させるフィルタ規則を含むことが可能である。さらに、プロセッサが意図され、ここにおいて、該プロセッサは、１又はそれより多くのネットワーク・サービスへのアクセスを要請している無線端末に関係付けられる識別証印を受信するため；及び該無線端末に通信で接続される基地局へ無線端末に関係付けられたプロフィールを配信するため、の命令を実行する。例えば、該プロフィールは、該無線端末に関係付けられる１又はそれより多くのトラフィック・フローへ供するためのＱｏＳ処理、及び該少なくとも１つのトラフィック・フローへ指定されたＱｏＳ処理を関係させるフィルタ規則を含むことが可能である。
【００１０】
まだ別の１つの態様では、端末に関係付けられる１又はそれより多くのトラフィック・フローへＱｏＳ処理を供するための方法は、無線端末に割り当てられたプロフィールを受信すること、を具備することが可能であり、ここにおいて、該プロフィールは、１又はそれより多くのトラフィック・フローに関する該無線端末に提供するためのＱｏＳ処理、及び該１又はそれより多くのトラフィック・フローへのデータ・パケットの割り当て及び指定されたＱｏＳ処理と該データ・パケットとの関係付けを容易にするフィルタ規則を含む。該方法は、それに加えて、該プロフィールの内容に少なくとも部分的に基づいて該１又はそれより多くのトラフィック・フローへＱｏＳ処理を供することを含むことが可能である。基地局も、同様に下記に記載され、ここにおいて、該基地局は、認証及び認可サーバへ端末と加入者とのうちの少なくとも１つを識別するデータを提供するための手段、及び該認証及び認可サーバから該端末と該加入者とのうちの該少なくとも１つに割り当てられたプロフィールを受信するための手段、を具備する。例えば、該プロフィールは、該端末に関係付けられる１又はそれより多くのトラフィック・フローへ供するためのＱｏＳ処理を規定することが可能であり、そして該１又はそれより多くのトラフィック・フローに対応するデータ・パケットに指定されたＱｏＳ処理を関係させるフィルタ規則を含むことが可能である。該基地局は、しかも、該プロフィールの内容に少なくとも部分的に基づいて該１又はそれより多くのトラフィック・フローへＱｏＳ処理を供するための手段、を含むことが可能である。
【００１１】
別の１つの態様では、機械読取り可能な媒体が開示され、ここにおいて、該機械読取り可能な媒体は、端末に関係付けられるプロフィールを受信するための命令をその上に記憶している、ここにおいて、該プロフィールは、１又はそれより多くのトラフィック・フローに関係する該無線端末に供するためのＱｏＳ処理、及び該１又はそれより多くのトラフィック・フローにデータ・パケットを割り当てることを容易にするフィルタ規則を含む。該機械読取り可能な媒体は、該プロフィールの内容に少なくとも部分的に基づいて該１又はそれより多くのトラフィック・フローへＱｏＳ処理を供するための、さらなる機械実行可能な命令を含むことが可能である。そのうえ、プロセッサが本明細書に記載され、ここにおいて、該プロセッサは、認証及び認可サーバへ端末と加入者とのうちの少なくとも１つを同定するデータを提供するため、そして該認証及び認可サーバから該端末と該加入者とのうちの該少なくとも１つに割り当てられたプロフィールを受信するため、の命令を実行するように構成されることが可能であり、ここにおいて、該プロフィールは、該端末に関係付けられる１又はそれより多くのトラフィック・フローへ供するためのＱｏＳ処理を規定する。該プロセッサは、さらに、該プロフィールの内容に少なくとも部分的に基づいて該１又はそれより多くのトラフィック・フローへＱｏＳ処理を供するための命令を実行するように構成されることが可能である。
【００１２】
前述の目的そして関連する目的を達成するために、ある種の例示の態様が下記の説明及び添付した図面に関連して本明細書中に記述される。これらの態様は、しかしながら、特許請求される主題の原理が使用されることができ、そして特許請求される主題がそのような態様及びそれらと等価なものの全てを含むように意図されている様々な方法のうちの少しだけを示している。その他の利点及び新規な特徴は、図面とともに考察するとき下記の詳細な説明から明らかになるであろう。
【詳細な説明】
【００１３】
特許請求される主題は、ここで図面を参照して説明され、ここにおいて、類似の参照番号は、全体を通して類似の要素を呼ぶように使用される。下記の記述では、説明の目的のために、数多くの具体的な詳細が、特許請求される主題の完全な理解を提供するために説明される。しかしながら、そのような主題がこれらの具体的な詳細を用いずに実行され得ることは、明白である。別の事例では、周知の構造及びデバイスは、特許請求される主題を説明することを容易にするためにブロック図形式で示される。
【００１４】
さらに、様々な態様が、端末に関連して本明細書中に説明される。端末は、同様に、システム、ユーザ・デバイス、加入者ユニット、加入者局、移動局、モービル・デバイス、遠隔局、遠隔端末、アクセス端末、ユーザ端末、ユーザ・エージェント、又はユーザ装置とも呼ばれることができる。ユーザ・デバイスは、セルラ電話機、コードレス電話機、セッション・イニシエーション・プロトコル（ＳＩＰ：Session Initiation Protocol）電話機、無線ローカル・ループ（ＷＬＬ：wireless local loop）局、ＰＤＡ、無線接続能力を有する手持ちデバイス、端末内部のモジュール、ホスト・デバイス（例えば、ＰＣＭＣＩＡカード）に取り付けられることが可能な又はその中に集積されることが可能なカード、又は無線モデムに接続された他の処理デバイスであり得る。
【００１５】
そのうえ、特許請求される主題の様々な態様を実装するための方法、装置、若しくはコンピュータ又は演算構成要素を制御するソフトウェア、ファームウェア、ハードウェア、又はそれらの任意の組み合わせを生成する標準プログラミング技術及び／又はエンジニアリング技術を使用する製造の文書として、特許請求される主題の態様は、与えられることができる。本明細書中で使用されるように“製造の文書”は、いずれかのコンピュータ読取り可能なデバイス、キャリア、又は媒体からアクセス可能なコンピュータ・プログラムを含むように意図されている。例えば、コンピュータ読取り可能な媒体は、磁気記憶デバイス（例えば、ハード・ディスク、フロッピー（登録商標）ディスク、磁気ストリップ．．．）、光ディスク（例えば、コンパクト・ディスク（ＣＤ）、ディジタル・バーサタイル・ディスク（ＤＶＤ）．．．）、スマート・カード、及びフラッシュ・メモリ・デバイス（例えば、カード、スティック、キー・ドライブ．．．）を含むことができるが、それらに限定されない。それに加えて、搬送波が、音声メールを送信し受信する際に使用したもの又はセルラ・ネットワークのようなネットワークをアクセスする際に使用したもの、のようなコンピュータ読取り可能な電子データを搬送するために利用されることが可能であることが、認識されるはずである。当然のことながら、当業者は、複数の変形が本明細書中に記載されるものの範囲又は精神から逸脱することなく本構成に為し得ることを理解するであろう。
【００１６】
ここで、図１を参照して、端末によって送られる及び／又は受け取られる１又はそれより多くのトラフィック・フローに対する指定されたＱｏＳ処理を端末に供することを容易にするシステム１００が、図示される。本システム１００は、端末１０２を含み、それは、例えば、ＳＤカード、ネットワーク・カード、無線ネットワーク・カード、コンピュータ（ラップトップ、デスク・トップ、個人ディジタル補助装置ＰＤＡを含む）、移動電話機、スマート・フォーン、又はネットワークをアクセスするために利用されることが可能であるいずれかの他の適した端末、であり得る。端末１０２は、アクセス・ノード１０４を経由してネットワークをアクセスする。例えば、端末１０２は、有線接続（例えば、イサーネット・ケーブル、ＵＳＢ接続、等）を経由してアクセス・ノード１０４に通信で接続されることが可能である。別の一例では、端末１０２とアクセス・ノード１０４との間の接続は、本質的に無線であり得て、そこではアクセス・ノード１０４は基地局であり、そして端末１０２は無線端末であり得る。例えば、端末１０２とアクセス・ノード１０４は、いずれかの好適な無線プロトコルを介して通信することができ、そのプロトコルは時分割多元接続（ＴＤＭＡ：time division multiple access），符号分割多元接続（ＣＤＭＡ：code division multiple access），周波数分割多元接続（ＦＤＭＡ：frequency division multiple access），直交周波数分割多重化（ＯＦＤＭ：orthogonal frequency division multiplexing），ＦＬＡＳＨ  ＯＦＤＭ，直交周波数分割多元接続（ＯＦＤＭＡ：orthogonal frequency division multiple access），又はいずれかの他の好適なプロトコルを含むが、これらに限定されない。
【００１７】
端末１０２と同様に、アクセス・ノード１０４は、有線ネットワーク又は無線ネットワークに関係付けられるアクセス・ノードであり得る。その目的のために、アクセス・ノード１０４は、例えば、ルータ、スイッチ、又はその他であり得る。アクセス・ノード１０４は、別のネットワーク・ノードと通信するために、１又はそれより多くのインターフェース（例えば、通信モジュール）を含むことができる。それに加えて、アクセス・ノード１０４は、セルラ・タイプ・ネットワークにおける基地局（又は無線アクセス・ポイント）であり得て、ここにおいて、基地局（又は無線アクセス・ポイント）は、複数の加入者に無線交信可能範囲を提供するために利用される。そのような基地局（又は無線アクセス・ポイント）は、１又はそれより多くのセルラ電話機及び／又は別の無線端末への交信可能範囲のつながった領域を提供するように配置されることが可能である。
【００１８】
システム１００は、しかも認証及び認可サーバ（ＡＡＳ）１０６を含むことができ、それは端末１０２がアクセス・ノード１０４の使用を通してネットワークを経由してデータを送ること／受け取ることをイネーブルにする際に援助する。別々のエンティティであるように示されているが、ＡＡＳ１０６がアクセス・ノード１０４の内部に含まれ得ることが理解される。認証／認可に関して、端末１０２は、アクセス・ノード１０４を経由してＡＡＳ１０６にそのような端末１０２の識別情報及び／又はそれに関係する加入者の識別情報を表しているデータを提供することが可能である。アクセス・ノード１０４は、識別データを変更せずにＡＡＳ１０６に中継することが可能である、又はいずれかの適したデータ・フォーマット／プロトコルにしたがってそのようなデータを変更することができる。識別証印（identifying indicia）を受信すると、ＡＡＳ１０６は、端末／加入者の識別情報を認証することができ、そして端末１０２（及び／又は加入者）が１又はそれより多くのサービスを認可されているかどうかを判断する。認証／認可のプロセスは、端末１０２、アクセス・ノード１０４、及び／又はＡＡＳ１０６の間で１又はそれより多くの信号の交換を含むことができ、そしてある複数の実施形態では行っている。端末１０２及び／又はそれに関係する加入者がサービスを認可されている場合には、ＡＡＳ１０６は、端末１０２（又は関係する加入者）に割り当てられたプロフィールをアクセス・ノード１０４へ中継することが可能であり、ここにおいて、プロフィールは、端末１０２に関連する１又はそれより多くのトラフィック・フローに関係付けられる少なくともＱｏＳパラメータの記述を含み、ここにおいて、データ・フローは、（例えば、パケット・ヘッダ及び／又はパケット・ペイロードの検査に基づいて同定されるように）一連の関連するデータ・パケットとして規定されることが可能である。プロフィールは、同様にフィルタ規則を含むことが可能であり、それはトラフィック・フローへのデータ・パケットの関係づけを容易にし、そして指定されたＱｏＳ処理をあるトラフィック・フロー及び／又はデータ・パケットに関係させる。一例にしたがって、音声データに関連するパケットを示しているヘッダを有するデータ・パケットは、トラフィック・フローとして包括的に呼ばれることができる。同様に、ビデオ・データに関連するパケットを示しているヘッダを有するデータ・パケットは、別のトラフィック・フローであり得る。
【００１９】
アクセス・ノード１０４は、プロフィールの受信で、受信したプロフィール内に記述されるＱｏＳ処理をモニタしそして実施することが可能である。例えば、記述されているＱｏＳ処理とともに利用されることができるパラメータは、トラフィック・フローに関係する許容可能な待ち時間に関連することがあり、そしてアクセス・ノード１０４は、トラフィック・フローに関するスケジューリングを実行することができて、ＡＡＳ１０６から与えられるプロフィール内に記述されているような許容可能な待ち時間を維持管理する。受信したプロフィール内の他のＱｏＳパラメータは、特定のトラフィック・フロー・タイプに関する最小許容可能データ・レート、特定のトラフィック・フロー・タイプに関する最大許容可能データ・レート、等、に関連することができる。そのようなパラメータは、数値で規定されることができる（例えば、第１のトラフィック・フロー・タイプに関する最小データ・レートは、１２８Ｋｂ／ｓｅｃである）及び／又は相対的に規定されることができる（例えば、第１のトラフィック・フロー・タイプに関する待ち時間は、第２のトラフィック・フロー・タイプに関する待ち時間の１／２になるようにする）。まださらに、パラメータの定義は、あるシステム又はネットワークの（複数の）状態次第であり得る。一例では、特定のパラメータは、しきい値に到達するまで相対的に規定され、そしてその後で数値的に規定されることができる（例えば、第１のトラフィック・フローに関する最小データ・レートは、第２のトラフィック・フローの２倍であるべきであるが、１メガバイト／秒を超えない）。
【００２０】
それに加えて、ＡＡＳ１０６からアクセス・ノード１０４へ与えられるプロフィールは、その中のオブジェクトのインスタンスをサポートすることが可能であり、それによってプロフィール内のパラメータ定義の重複を削減する。例えば、端末１０２に対して使用を認可されているゲーム・アプリケーションは、そのようなアプリケーションをサポートするために３つの並列トラフィック・フローを使用することができる。各トラフィック・フローに関するパラメータを規定することよりはむしろ、定義は１つのトラフィック・フローに対して作り出されることができ、そしてそのような定義のインスタンスは、関連するトラフィック・フローに対して利用されることが可能である。その上、プロフィールは、フィルタ（例えば、分類）規則を含むことが可能であり、それは特定のトラフィック・フローを同定すること、及びそのトラフィック・フローに割り当てるためにＱｏＳ処理を決定するインスタンスを有するフローに関係付けることに関連して使用されることができる。プロフィールの詳細な例は、下記に与えられる。アクセス・ノード１０４は、プロフィールの受信で、プロフィールに指示されるように端末１０２にＱｏＳ処理を供するように構成されることができる。そのように、アクセス・ノード１０４は、様々なトラフィック・フローそして複数のユーザに関して異なるＱｏＳ処理を提供することが可能であり、それによってシステム性能及びユーザ経験を向上させる。
【００２１】
ここで図２を参照して、一例の無線通信システム２００が図示される。システム２００は、無線端末２０２を含み、それは無線インターフェースを経由して基地局２０４と通信することが可能である。複数の無線システムにおいて、無線端末２０２と基地局２０４との間の無線リンクは、（利用可能なリソースの点で）最も制約の多いリンクであり、そしてそれゆえＱｏＳは、そのようなリンクに関して厳格に制御されるべきである。無線端末２０２と基地局２０４は、例えば、ＦＬＡＳＨ  ＯＦＤＭのような、いずれかの好適なプロトコルを経由して通信することができる。しかしながら、他の無線通信プロトコルが想定され、そして本明細書に添付された特許請求の範囲に該当するように意図されている。
【００２２】
基地局２０４は、無線端末２０２を含む１又はそれより多くの無線端末への無線ネットワーク通信可能範囲の地域を提供するように利用されることが可能である。無線端末２０２が無線通信ネットワークへ入るとき（例えば、基地局２０４の無線通信ネットワークに入るとき）、無線端末２０２は、例えば、ネットワーク・アクセス識別子（ＮＡＩ：network access identifier）（それは端末ＮＡＩ及び／又は加入者ＮＡＩであり得る）、ＩＭＳＩ値（又はそれから導出された値）、又は任意の他の適した識別証印のような、識別証印を基地局２０４に提供することができる。基地局２０４は、その後、識別証印をＡＡＳ２０６（それは、基地局２０４とは異なるネットワーク内であることもそうでないこともある）に中継することができ、それはａ）無線端末２０２（又はそれに関係する加入者）が基地局２０４に関係する無線ネットワークをアクセスすることを認可されているかどうかを、そしてｂ）どのサービス／ＱｏＳパラメータが無線端末２０２に関係付けられるかどうかを判断する。ＡＡＳ２０６は、ＡＡＳ２０６内部のデータベース及び／又はそれに通信で接続されたデータ格納庫から保管されたプロフィールを抽出することが可能である、又は無線端末２０２に割り当てられるプロフィールを生成することが可能である。プロフィールの生成は、無線端末に関係付けられる識別証印、加入者に関係付けられる識別証印、及び／又はサービスを要請しているアプリケーションに関係付けられる識別証印、に少なくとも部分的に基づくことができる。ＡＡＳ２０６は、その後、基地局２０４にプロフィールを提供することが可能であり、そして基地局２０４は、そのプロフィールの内容にしたがって無線端末２０２にＱｏＳを提供することが可能である。言い換えると、基地局２０４は、プロフィールの内容にしたがって無線端末に関するスケジューリングと他のＱｏＳパラメータを制御することが可能である。
【００２３】
そのようにして、端末２０２の認証と認可時に、ＱｏＳパラメータは、基地局２０４に提供されることが可能であり、それは無線端末２０２に関するそのようなＱｏＳパラメータを順に実行させることが可能である。それに加えて、基地局２０２は、無線端末２０２に割り当てられたＱｏＳパラメータがアップリンク上で守られるように無線端末２０２を設定することが可能である。一例では、ＡＡＳ２０６は、アクセスが端末２０２に許可されると遠隔ダイアル−イン・ユーザ・サービス（ＲＡＤＩＵＳ：Remote Dial-In User Service）を経由してプロフィールを基地局２０４に提供することが可能である。例えば、プロフィールは、ＲＡＤＩＵＳアクセス受諾メッセージ中に含まれる１又はそれより多くのＲＡＤＩＵＳ属性中で伝達されることが可能である。あるいは、プロフィールは、ダイアメータ・プロトコル又は別の類似のプロトコルを経由してＡＡＳ２０６から基地局２０４に配信されることが可能である。その上、プロフィールは、例えば、特定の図式にしたがって構造化された、拡張可能なマークアップ言語（ＸＭＬ：Extensible Markup Language）文書の形式であり得る。
【００２４】
ここで図３を参照して、無線通信システム３００が図示される。システム３００は、上に記述したように、無線端末２０２と基地局２０４とを含む。基地局２０４は、無線端末２０２又は加入者が認証され、そして認可手続きが実行された後で、ＡＡＳ２０６（図示されていない）により提供され、無線端末２０２（又はそれに関係する加入者）に割り当てられたプロフィールを含むことが可能である。以下に記されるように、プロフィールは、例えば、無線端末２０２を利用する加入者によって購入されたサービスに対応する、無線端末２０２に割り当てられたＱｏＳパラメータを含むことができる。そのように、基地局２０４は、プロフィールにしたがって設定され、そして無線端末２０２は、プロフィールの内容に少なくとも部分的に基づいて設定されることが可能である。トラフィック・フローは、ユーザ端末２０２と基地局２０４との間のアップリンク３０４において、同様にダウンリンク３０２において制御されることが可能である。例えば、ダウンリンク３０２において第１のデータ・レートをそしてアップリンク３０４において第２のデータ・レートを有する音声通話に関係するトラフィック・フローを提供することが、望ましいことがある。まとめると、プロフィールは、ダウンリンク３０２とアップリンク３０４の両方で無線端末２０２に関するＱｏＳパラメータを設定するために利用されることが可能である。
【００２５】
ここで図４を参照して、端末に関係するネットワーク内で通信をイネーブルにすることに関連してネットワーク内で利用されることが可能な通信装置４００が、図示される。通信装置４００は、例えば、無線端末のような、無線通信装置であり得る。それに加えて又はその代わりに、通信装置４００は、有線ネットワーク内に常駐することができる。通信装置４００は、メモリ４０２を含むことができ、それは端末（及びそれに関係するトラフィック・フロー）のためのＱｏＳに関して係る装置を設定するための命令を保持することが可能である。それに加えて、通信装置４００は、プロセッサ４０４を含むことができ、それはメモリ４０２内部の命令及び／又は別のネットワーク・デバイスから受信される命令を実行することが可能であり、ここにおいて、その命令は、通信装置４００又は関連する通信装置を設定することに関係することができる。
【００２６】
一例では、通信装置４００は、ＡＡＳ又はＡＡＳサーバであり得て、それはネットワークへのアクセスを要請している端末（例えば、無線端末又は有線接続された端末）又はその端末に関係する加入者のアイデンティティを通信装置が見分けることを可能にする識別証印を受信する。例えば、メモリ４０２は、端末に関連する識別証印を受信すると、端末のデータベースを検索するための命令を含むことができる。プロセッサ４０４は、識別証印の受信でそのような命令を実行することが可能である。メモリ４０２は、端末及びそれに関係するトラフィック・フローに関係するＱｏＳパラメータを規定するプロフィールを生成するための命令及び／又は配置するための命令を追加として含むことが可能であり、そしてプロセッサ４０４は、そのような命令を実行することが可能である。その上、メモリ４０２は、端末に通信で接続されるアクセス・ノード（例えば、基地局）の生成されたプロフィールを配信するための命令を含むことが可能であり、そしてプロセッサ４０４は、そのような命令を実行するように設定されることが可能である。
【００２７】
別の一例では、通信装置４００は、基地局のような、アクセス・ノードであり得る。そのような例では、メモリ４０２は、端末がネットワークをアクセスするように試みていることを判断するための命令、端末及び／又は加入者に関係する識別証印を受信するための命令、及びそのような証印をＡＡＳに中継するための命令、を保持することが可能である。プロセッサ４０４は、そのような命令を実行することに関連して利用されることが可能である。それに加えて、メモリ４０２は、（ＡＡＳから受信される）端末に関係するプロフィールを保持するために利用されることが可能であり、ここにおいて、プロフィールの内容は、その端末に関係する（複数の）トラフィック・フローへ適切なＱｏＳ処理を供するために利用される。例えば、プロフィールは、ある最小データ・レートが端末の特定のトラフィック・フローに適用されるべきであることを指示することができる。プロセッサ４０４は、次に、メモリ４０２内の命令にしたがって、データ・パケットのスケジューリング、ネットワーク・リソースの割り当て、及びその他、を実行することが可能である。さらにその上、メモリ４０２とプロセッサ４０４は、端末を設定するために一緒に動作することが可能である。
【００２８】
さらに別の一例では、通信装置４００は、無線端末（例えば、ＳＤカード、ＰＣＭＣＩＡカード、セルラ電話機、ＰＤＡ、．．．）のような、端末であり得る。この例では、メモリ４０２は、端末がネットワークへアクセスしようと試みるときに、アクセス・ノードに（端末又はその端末に関係する加入者の）識別証印を与えるための命令を含むことができる。プロセッサ４０４は、識別証印のそのような供与を実行するように構成されることができる。メモリ４０２は、ＱｏＳパラメータに関連する設定情報を受け取りそして保持するために同様に利用されることが可能であり、その結果、端末はそのようなパラメータにしたがってアクセス・ノードと通信する。特定の例では、音声データに関係する待ち時間を削減することが望ましいことがあり、そして端末は、そのような待ち時間制約（同様にリンクに関係する待ち時間）の知識を有するように構成されることが可能である。プロセッサ４０４は、例えば、アップリンクにおける通信が端末に関係するプロフィールの内容に適合するように、スケジューリングを実行することが可能である。
【００２９】
ここで図５に転じて、本明細書中に記述された１又はそれより多くの態様にしたがった一例のプロフィール５００が図示される。プロフィール５００は、パラメータの論理的なグループ分けであり、それは加入者（特定の移動端末）による使用のために認可されたサービスの態様を指定する。しかしながら、プロフィール５００内部のフィールド／エレメントは、アラートされる（alerted）ことが可能であり、その結果、どのようにしてエレメントが指定されるかがアラートされることができ、論理の組み合わせがアラートされることができ、複数のエレメントがアラートされることができ、そしてエレメントの名前が主題にしたがいつつアラートされることができることが、理解される。プロフィール５００は、フラッシュ・サービス・エレメント５０２に関係付けられることが可能であり、それはＦＬＡＳＨ無線インターフェースを含む無線インターフェースのような、インターフェースを経由する接続性を確立すること及び維持管理することに関係するパラメータの論理的なグループ分けである。フラッシュ・サービス・エレメント５０２は、ロケーション制約エレメント５０４に関係付けられることができ、それは加入者がサービスに対してそこを通ってアクセスを認可されることができるロケーション（すなわち、連結の点）を指定するパラメータの集合である。ロケーション制約エレメント５０４がプロフィール５００内に含まれるとき、アクセスはロケーション制約エレメント５０４内に含まれるエレメントによって指定されるように制限されることがあり得る。ロケーション制約エレメント５０４の省略は、アクセスが指定されたロケーションのリストに制限されないことを示すが、別の手段（例えば、ローミング取り決め）によって制限されることがあり得る。
【００３０】
プロフィール５００は、それに加えてネットワーク・エレメント５０６を含むことができ、それは加入者（端末）がそこを通ってサービスのためのアクセスを許可されることができる特定のネットワークに関係付けられるパラメータの集合であり得る。アクセスは、指示されたネットワークの集合に制限されることが可能であり、そして、望まれる場合には、他のネットワークを経由しては許可されないことがある。ネットワーク・エレメント５０６は、ネットワーク識別子エレメント５０８に関係付けられることができ、それは加入者がそこを通ってサービスのためのアクセスを許可されることができるネットワークのグローバルに固有な識別子であり得る。ネットワーク・エレメント５０６は、それに加えてゾーン・エレメント５１０に関係付けられることができ、それは加入者がそこを通ってサービスのためのアクセスを許可されることができるネットワーク内の特定のゾーンに関係付けられるパラメータの集合として規定されることができる。ネットワーク内のアクセスは、ゾーン・エレメント５１０内の指示されたゾーンの集合に制限されることがあり得る。ゾーン・エレメント５１０が無いことは、ネットワーク識別子エレメント５０８内で同定されたネットワーク内のアクセスが指定されたゾーンの集合に制限されないことを示すことができる。
【００３１】
ゾーン・エレメント５１０は、ゾーン識別子エレメント５１２に関連付けられることができ、それは加入者がそこを通ってサービスのためのアクセスを許可されることができるネットワーク内のゾーンのローカルに固有な識別子であり得る。ゾーン・エレメント５１０は、しかも基地局エレメント５１４に関連付けられることができ、それは加入者がそこを通ってサービスのためのアクセスを許可されることができる（ネットワークのゾーン内の）特定の基地局又はアクセス・ノードに関係付けられるパラメータの集合として定義されることができる。ゾーン内のアクセスは、基地局エレメント５１４内の指示された基地局の集合に制限されることがあり得る。基地局エレメント５１４が無いことは、同定されたゾーン内のアクセスが特定の基地局の集合に制限されないことを示すことができる。
【００３２】
基地局エレメント５１４は、基地局識別子５１６に関係付けられることができ、それは加入者がそこを通ってサービスのためのアクセスを許可されることができるネットワークのゾーン内の基地局のローカルに固有な識別子であり得る。基地局エレメント５１４は、それに加えてリンク・エレメント５１８に関連付けられることができ、それは加入者がそこを通ってサービスのためのアクセスを許可されることができる（ネットワークのゾーン内の同定された基地局に対応する）特定のリンクに関係付けられるパラメータの集合であり得る。例えば、基地局を経由するアクセスは、リンク・エレメント５１８内に指定されたリンクの集合に制限されることがあり得、そしてプロフィール内にリンク・エレメント５１８が無いことは、対応する基地局を経由するアクセスがリンクのある一定の集合に制限されないことを示すことができる。
【００３３】
リンク・エレメント５１８は、論理リンク制御識別子エレメント５２０に関係付けられることができ、それは加入者がそこを通ってサービスのためのアクセスを許可されることができるネットワークのゾーン内の基地局に対応するリンクのローカルに固有な識別子であり得る。リンク・エレメント５１８は、しかも接続エレメント５２２に関係付けられることができ、それは加入者がそこを通ってサービスのためのアクセスを許可されることができる特定の接続に関係付けられるパラメータの集合であり得る。例えば、リンクを経由するアクセスは、指示された接続の集合に制限されることがあり得る。接続エレメントが無いことは、対応するリンクを経由するアクセスが、指定された接続の集合に制限されないことを示すことができる。そのように、特定のリンクを経由するアクセスがさらに制約されない場合には、プロフィール５００内に接続エレメント５２２を含まないことが、望まれることがあり得る。接続エレメント５２２は、接続識別子エレメント５２４に関係付けられることができ、それは加入者がそこを通ってサービスのためのアクセスを許可されることができるネットワークのゾーン内のリンク及び基地局に対応する接続のローカルに固有な識別子であり得る。
【００３４】
プロフィール５００は、それに加えてロケーション更新インターバル・エレメント５２６を含むことが可能であり、それは無線端末が、例えば、“スリープ”モードにある間にその無線端末によってロケーション更新が実行されるはずの時間の連続する段階の間の時間の（例えば、秒の）期間あり得る。モニタリング・インターバル・エレメント５２８は、“スリープ”モードにある間にその無線端末によってロケーション更新が実行されようとしている時間の連続する段階の間の時間の（例えば、ミリ秒の）期間あり得る。プロフィール５００は、それに加えてサービス・セット・エレメント５３０（下記に詳細に説明される）を含むことが可能であり、それはサービスを利用可能にすること及び制御することに関係する、サービス・クラスの集合及び加入者サービス論理データ制約を含むことが可能である。かかるエレメント５３０は、特定の端末（例えば、無線端末）に関係付けられるある種のトラフィック・フローに関連するＱｏＳパラメータを含むことが可能である。ＱｏＳパラメータを含んでいるプロフィールを備える情報は、ＸＭＬを使用して伝達されることが可能であり、そして情報の構造及び他の特性（例えば、データ・タイプ、フォーマット、及び／又は値の制約）は、関係するＸＭＬ方式によって規定されることが可能である。
【００３５】
ここで図６を参照して、一例のサービス・セット・エレメント６００（例えば、図５のサービス・セット・エレメント５３０）が、示されそして説明される。しかしながら、そのようなエレメントが一例として単に与えられること、そしてその中のエレメント及び／又は複数のエレメント間の論理的関係付けが削除され、アラートされる、等が可能であること、そして要求される主題にしたがって存続することが可能である、ことが理解されるはずである。ＱｏＳ定義及び制御は、サービス・セット・エレメント６００内の２つのデータ構成：サービス・クラス・エレメント６０２と加入者サービス・エレメント６０４、に少なくとも部分的に基づくことが可能である。“加入者”サービス・エレメントとして示されるが、かかるエレメントが無線端末に関連することが可能であることが、理解される。そのように、加入者サービス・エレメントは、端末の識別証印及び／又は加入者の識別証印ゆえにプロフィール内に含まれることが可能である。提供されようとしているサービスに応じて、プロフィールは、これらのデータ構成のいずれか又は両者の複数の発生を含むことがある。サービス・クラス・エレメント６０２（データ構成）は、特定のサービス・クラスのインスタンスに関係するトラフィック・フローのＱｏＳ処理を指定するための一般的な機構を提供することができる。例えば、ホスト・デバイスへ／から提供されるパケットは、１又はそれより多くのトラフィック・フローへと分類され、そこでは所与のトラフィック・フローは、特定のアプリケーションに対応する固有のパケット・ストリームだけを含むことができる、又は複数のアプリケーションに対応するパケット・ストリームの集合体を含むことができる。
【００３６】
それぞれの同定されたトラフィック・フローは、次に、１又はそれより多くのサービス・クラス・エレメント（６０２）のインスタンスに関係付けられることが可能である。各同定されたトラフィック・フローの関係するサービス・クラスは、ホスト・デバイス及び／又はアクセス・ノード（アクセス・ルータ、基地局、等）の承認制御機能、スケジューリング機能、及びトラフィック調整機能のための基本を提供することが可能である。サービス・クラス・エレメント６０２がＱｏＳ処理に属することが可能である一方で、サービス・セット・エレメント６００は、方針（policy）制御（例えば、サービスのための認可）及びサービス定義（例えば、パラメータ値の設定、ＱｏＳをサポートするために、同定されたトラフィック・フローと特定のサービス・クラスのインスタンスとの関係付け、．．．）に関係することが可能である。各サービス・セット・エレメントは、ゼロ又はそれより多くのサービス・クラス・エレメント及びゼロ又はそれより多くの加入者サービス・エレメントを含むことが可能である。
【００３７】
ここで図７に転じて、一例のサービス・クラス・エレメント（例えば、図６に示されたサービス・クラス・エレメント６０２）が図示される。再び、サービス・クラス・エレメント７００は、プロフィール内のＱｏＳ処理を定義するための１つの特定の方法の一例として提供される。そのようにするための別の方法が、発明者により予想され、そしてここに添付された特許請求の範囲の領域内になるように意図されている。サービス・クラス・エレメント７００は、サービス・クラス識別子７０２を含むことが可能であり、それは定義されたサービス・クラスのグローバルに固有な識別子（例えば、３２ビット）であることが可能であり、それは表記ｘ：ｙを使用して表わされることが可能であり、ここで、ｘとｙは、サービス・クラス識別子７０２の、それぞれ、ビットの最初の番号（プリフィックス）とビットの２番目の番号（サフィックス）に対応する１６進数であり得る。例えば、特定のオペレータ又は規格組織によって定義されるサービス・クラスの集合は、共通サービス・クラス識別子プリフィックスを利用することが可能である。
【００３８】
サービス・クラス・エレメント７００は、しかも承認優先度エレメント７０４を含むことが可能である。専用のリソースの割り当てを必要としている目標の配信の目的物を指定するサービス・クラス（例えば、最小レート及び／又は待ち時間範囲を指定するサービス・クラス）に関して、承認優先度エレメント７０４は、リソース割り当て承認制御判断を行う目的のためにそのようなサービス・クラスの相対的な順序付けを指示する。承認優先度の具体的な使用は、手段に依存することがあり、そして可能性のある使用は、保留中のリソース割り当て要請の優先順位待ち行列、及び／又はリソース割り当ての先買の優先順位を含む。
【００３９】
最大レート・エレメント７０６は、特定のサービス・クラスのインスタンスに関係付けられるトラフィック・フローに与えられることができる最大データ・レートを指示することができる。最大レート・エレメント７０６は、トークン・レート・エレメント７０８及びバケット深さエレメント７１０内に記述されるような、トークン・バケット・パラメータによりさらに規定されることが可能である。例えば、トークン・レート・エレメント７０８は、キロビット／秒（ここで、キロは１０００を示す）の単位であり得て、そしてバケット深さエレメント７１０は、バイトの単位であり得る。
【００４０】
最小レート・エレメント７１２は、サービス・クラスのインスタンスに関係付けられるトラフィック・フローに与えられようとしている目標最小データ・レートを指示することが可能である。最小レート・エレメント７１２は、トークン・レート・エレメント７１４、バケット深さエレメント７１６、ピーク・レート・エレメント７１８、最小監視（policed）ユニット・エレメント７２０、及び最大パケット・サイズ・エレメント７２２によってさらに規定されることが可能である。トークン・レート・エレメント７１４とピーク・レート・エレメント７１８は、キロビット／秒（ここで、キロは１０００を示す）の単位であり得て、そしてバケット深さエレメント７１６、最小監視ユニット・エレメント７２０、及び最大パケット・サイズ・エレメント７２２は、バイトの単位であり得る。
【００４１】
分配加重エレメント７２４は、別のサービス・クラス・インスタンスに関係するトラフィック・フローとサービスが競合するときに、あるサービス・クラスのインスタンスに関係付けられるトラフィック・フローが受けるはずであるサービス（例えば、レート又はリソース）の相対的な割合を示すために利用されることが可能である。そのように、目標配信目的物（例えば、最小レート及び／又は待ち時間範囲）が全ての承認されたサービス・クラス・インスタンスに対して満足された後で、残りのサービス能力のいくらかが、競合している複数のサービス・クラス・インスタンスの間で分配されるはずであり、それらのサービス・クラス・インスタンスは、そうでなければそれらの対応する分配加重に比例して（例えば、最大レートを指示されることによって）制限されない。
【００４２】
待ち時間許容範囲エレメント７２６は、サービス・クラスのインスタンスに関係付けられるトラフィック・フローに属しているパケットに対する許容可能なアクセス・リンク待ち時間を指示し、ここで、アクセス・リンク待ち時間は、待ち行列、スケジューリング、及び送信に関係する遅延を含む。高い確率で、あるサービス・クラスのインスタンスに関係付けられるトラフィック・フローに属しているパケットは、指示された許容範囲より少ない待ち時間でアクセス・リンクを経由して配信されるはずである。一例として、待ち時間許容範囲エレメント７２６は、ミリ秒の単位に関係付けられることが可能である。
【００４３】
脱落（loss）許容範囲エレメント７２８は、あるサービス・クラスのインスタンスに関係付けられるトラフィック・フローに属しているパケットに関する脱落の許容可能な確率を示すことができ、ここで、脱落の原因は、待ち行列管理及び回復不可能な送信エラーを含む。同定されたサービス・クラスのインスタンスに関係付けられるトラフィック・フローに属しているパケットは、指示された許容範囲より低い脱落確率でアクセス・リンクを経由して配信されるはずである。脱落許容範囲エレメント７２８は、例えば、１００，０００パケット当たりの脱落パケットの数に関連するデータを含むことが可能である。差別化されたサービス（ＤＳ：differentiated service）コードポイント７３０は、同定されたサービス・クラスのインスタンスに関係付けられるトラフィック・フロー中のパケットがそれを用いてマークされるはずのＤＳコードポイントを示すことが可能である。
【００４４】
圧縮ヒント・エレメント７３２は、ヘッダ圧縮がサービス・クラスの特定のインスタンスに関係付けられるトラフィック・フローに属しているパケットに同様に適用可能であることを示すことができる。圧縮ヒント・エレメント７３２は、圧縮の適用可能なタイプを決定する際に支援する情報及び／又は圧縮のために必要なパラメータを含むことが可能である。
【００４５】
図８を参照して、（図６の加入者サービス・エレメント６０４のような）一例の加入者サービス・エレメント８００が、示されそして説明される。再び、エレメント８００は、サービスを規定するため１つの特定の方法として提供される。そのように行う別の方法が、発明者により予想され、そして本明細書に添付された請求項の範囲になるように意図されている。加入者サービス・エレメント８００は、加入者サービス識別子エレメント８０４を含むことが可能であり、それはある加入者サービスのグローバルに固有な識別子であることが可能であり、それは表記ｘ：ｙを使用して表わされることが可能であり、ここで、ｘとｙは、加入者サービス識別子エレメント８０４の、それぞれ、ビットの最初の集合（プリフィックス）とビットの最後の集合（サフィックス）に対応する１６進数であり得る。特定のオペレータ又は規格本体により定めらされる加入者サービスの集合は、共通加入者サービス識別子プリフィックスを使用することが可能である。領域（realm）エレメント８０６は、加入者サービスに関係するドメインを示すことが可能であり、ここにおいて、領域エレメント８０６がないことは、加入者サービスがローカル・ドメインに関係付けられることを示すことが可能である。これは、様々なネットワーク・オペレータ間を動き回るときにサービスをよりうまく制御するための基礎を提供する。
【００４６】
加入者サービス・エレメント８００は、方針判断点（ＰＤＰ：Policy Decision Point）識別子エレメント８１０を含むことが可能である。ＰＤＰ識別子エレメント８１０は、特定の加入者サービスに関係するＱｏＳ設定変更要請のために使用されようとしているＰＤＰの識別子（例えば、ＩＰアドレス又はホスト名）であり得る。加入者サービス・エレメント８００は、そのうえ出口（egress）エレメント８１２と入口（ingress）エレメント８１４とを含むことが可能であり、出口エレメント８１２はアクセス・ルータから加入者へ対応するアクセス・リンクを経由する出口トラフィックに適用可能なフィルタ規則及びサービス・クラス・インスタンスの論理的なグループ分けであり、そして入口エレメント８１４は加入者からアクセス・ルータへ対応するアクセス・リンクを経由する入口トラフィックに適用可能なフィルタ規則及びサービス・クラス・インスタンスの論理的なグループ分けである。
【００４７】
出口エレメント８１２と入口エレメント８１４は、それぞれ、１又はそれより多くのサービス・クラス・インスタンス・エレメント８１６と８１８を各々が含むことが可能である。サービス・クラス・インスタンス・エレメント８１６と８１８は、固定的なサービス・クラス・インスタンスを定めることが可能であり、例えば、そのインスタンスが必要とされそしてそれを用いてトラフィック・フローが１又はそれより多くのフィルタ規則によって関係付けられる特定のサービス・クラス・エレメントを同定することが可能である。固定的なサービス・クラス・インスタンスは、特定のサービス・クラスの持続的に要請されるインスタンスとして概念的に見られることが可能である。対応するサービス・クラスのパラメータに応じて、承認制御判断が要請されることがある。そのように、任意の所与の時間の点において、固定的なサービス・クラス・インスタンスは、リソースの利用可能性と承認優先度に応じて、動作される（例えば、承認される）ことがある又は動作されないこともあり得るが、可能な時にはいつでもアクティブにされるはずである。
【００４８】
出口エレメント８１２と入口エレメント８１４は、それぞれ、１又はそれより多くのフィルタ規則エレメント８２０と８２２を同様に各々が含むことが可能である。フィルタ規則エレメント８２０と８２２は、規定されたサービス・クラス・インスタンスを有するトラフィック・フローに属しているパケットをマッピングする目的のために分類フィルタ規則を定める。各フィルタ規則エレメントは、順番を指示する優先順位を含むことができ、そこでは別のフィルタ規則エレメント、パケット適応基準の仕様（例えば、１又はそれより多くのパケット・ヘッダ又はペイロード・フィールドに対応する値又は値の範囲）、及び適応パケットが関係付けられるはずのサービス・クラス・インスタンスの指示、に関して適用されるはずである。フィルタ規則エレメント８２０と８２２は、ヌル・サービス・クラスのインスタンスにパケットをマッピングすることによってトラフィック・フローに属しているパケットを破棄するために同様に使用されることが可能である。
【００４９】
図９−１２を参照して、端末（例えば、エンド・ノード）に関係付けられる（複数の）特定のトラフィック・フローに対してＱｏＳ処理を供することに関連する方法が図示される。説明の簡潔さの目的で、方法が一連の動作として示されそして記述されるが、１又はそれより多くの実施形態にしたがって、ある複数の動作が本明細書中に示されそして説明されたものとは異なる順番で及び／又は他の動作と同時に起きることができるので、本方法が動作の順番によって限定されないことが理解される。例えば、ある方法が代わりに一連の相互に関連する状態又は事象として、例えば、状態図で、表わされることができることを、当業者は理解しそして認識するであろう。その上、全ての説明された動作が、特許請求される主題にしたがった方法を実行するために必ずしも利用されるとは限らない。
【００５０】
図９を具体的に参照して、ネットワーク・サブシステムを設定することを容易にする方法９００が、説明される。方法９００は、９０２において始まり、そして９０４において端末が設定される、ここにおいて、設定は、（例えば、ネットワークの通信可能領域の中へと地理的に移動すること、基地局から信号を検出すること、．．．により）ネットワークに入ると、識別証印を与えるように端末を設定することを含むことが可能である。識別証印は、例えば、端末ＮＡＩ及び／又は加入者ＮＡＩであり得る。９０４において実行される設定は、そのうえにトラフィック・フローに応じて特定のＱｏＳ処理に関係付けられるデータを端末が送るように／受け取るように設定することを含むことが可能である。さらにより詳細に、端末がネットワークに関して認証され／認可されると、端末は、アクセス・ノードへ提供されるプロフィールにしたがって（ＱｏＳに関する）データを送るように／受け取るように設定されることが可能である。端末は、移動デバイスに関係付けられるカード、移動デバイス、静止デバイス（例えば、パーソナル・コンピュータ）、等、であり得る。その上、端末は、サービスへのアクセスを要請すること（及びそのようなサービスを利用すること）に関連して１又はそれより多くのアクセス・ノード（例えば、基地局）と通信するように設定されることが可能である。
【００５１】
９０６において、アクセス・ノードが設定される。１１０６において始められる設定は、端末から識別証印を受信するようにアクセス・ノードを設定すること、そしてそのような証印をＡＡＳに中継することを含むことが可能である。その設定は、そのうえに、ＡＡＳから端末に割り当てられたプロフィールを受信するようにアクセス・ノードを設定すること、そして次に、ＱｏＳに関連するプロフィールの内容にしたがって端末への／からのトラフィック・フローを取り扱うことを含むことが可能である。例えば、プロフィールは、ゲーム・サービスに関連するトラフィック・フローが特定の最小データ・レートに関係付けられるはずであり、一方で音声データが別のデータ・レート（及び待ち時間）に関係付けられるはずであること、を記述することが可能である。そのように、異なるＱｏＳ処理が、時間の同じインスタンスにおいて端末に関する別のデータ・フローに与えられることが可能である。そのように、９０６において、アクセス・ノード（例えば、基地局）は、プロフィールの内容に対応するトラフィック・フローに関するスケジューリングを実行するように設定されることが可能である。
【００５２】
９０８において、ＡＡＳが設定される。かかる設定は、ネットワークにおいて特定のサービスを利用することに関して、端末を識別し、端末を認証し、端末を認可するデータを受信するようにＡＡＳを設定すること、そして端末に関係付けられることが可能な少なくとも１つのトラフィック・フローに関するＱｏＳパラメータを定めるプロフィールを生成すること及び／又は位置を決めること、を具備することが可能である。それに加えて、ＡＡＳは、９０８において、プロフィールがそこに割り当てられる端末に通信で接続されるアクセス・ノードへプロフィールを提供するように設定されることが可能である。方法９００は、その後９１０において完了する。
【００５３】
ここで図１０に転じて、端末に関係付けられるプロフィールをアクセス・ノードへ提供するための方法１０００が説明され、ここにおいて、そのプロフィールは、端末に関する特定のトラフィック・フローのＱｏＳ処理に関連するパラメータを含む。方法１０００は、１００２において始まり、そして１００４において端末に関係付けられる識別証印が受信される。例えば、そのような証印は、アクセス・ノードから受信されることが可能であり、それは、基地局、ルータ、スイッチ、等であり得る。その上、識別証印は、端末に関連することが可能である（例えば、端末ＮＡＩ）又はその端末を利用している加入者に関連することが可能である（例えば、加入者ＮＡＩ）。そのような識別証印は、（例えば、端末がネットワークによって提供される１又はそれより多くのサービスへのアクセスを要請するときに）少なくとも認証及び認可目的のために受信されることが可能である。１００６において、端末に関係付けられるプロフィールは、受信された識別証印に少なくとも部分的に基づいて決定されることが可能である。例えば、ある種の識別証印に基づいて配置されようとしているプロフィールを利用可能にするデータベースが、存在することが可能である。上に説明されたように、プロフィールは、同定された端末とそれに関係付けられるトラフィック・フローに関するＱｏＳに関連するパラメータを含むことが可能である。１００８において、アクセス・ノードは、端末に関係付けられるプロフィールを提供される。そのようなアクセス・ノードは、その後、プロフィールの内容に対応するスケジューリングを実行すること、帯域幅を与えること、そしてその他、が可能である。本方法１０００は、その後、１０１０において終了する。
【００５４】
ここで図１１を参照して、特定のＱｏＳ処理に向けられるトラフィック・フローを受信するための方法１１００が説明される。方法１１００は、１１０２において始まり、そして１１０４において、ネットワークへのアクセスが要請される（例えば、ネットワークによって提供される１又はそれより多くのサービスへのアクセスが要請される）。例えば、そのような要請は、携帯電話機、ラップトップ・コンピュータ、個人ディジタル補助装置、等のような端末（エンド・ノード）に関係付けられることが可能である。１１０６において、識別証印が、アクセス・ノードに与えられる。そのような供給は、ネットワークをアクセスするための要請の一部であり得る。アクセス・ノードは、基地局、ルータ、スイッチ、及び／又はその他、であり得る。１１０８において、トラフィック・フローは、受信され、そこにおいて、そのようなトラフィック・フローは、プロフィールにおいて定められるＱｏＳ処理に向けられる。そのようなプロフィールは、ネットワークをアクセスする要請に応じてアクセス・ノードに与えられることが可能である。方法１１００がトラフィック・フローを受信することを説明したが、方法１１００が、ダウンリンク及び／又はアップリンク・トラフィック・フロー及びそれに関係するＱｏＳ処理に関係する設定情報を受信すること、同様に指定されたＱｏＳ処理にしたがってアップリンク・トラフィック・フローを送信することを含むように拡張されることが可能である。方法１１００は、１１１０において終了する。
【００５５】
ここで図１２に転じて、端末に関係付けられるある種のトラフィック・フローに対して適切なＱｏＳ処理を供するための方法１２００が、説明される。方法１２００は、１２０２において開始し、そして１２０４においてデータは、ＡＡＳに提供され、それは端末、加入者、及び／又はアプリケーションを同定する。例えば、そのようなデータは、ＩＭＳＩ、ＮＡＩ、又はいずれかの他の適した識別証印であり得る。そのうえに、そのようなデータは、端末からのデータを中継することが可能であるアクセス・ノードにより提供されることができる。１２０６において、プロフィールがＡＡＳから受信される、ここにおいて、プロフィールは、識別証印に関係付けられる端末に割り当てられる。プロフィールは、一般に端末に関係するＱｏＳ処理、そして特にある種のトラフィック・フローに関係するＱｏＳ処理、に関連するパラメータを含むことが可能である。１２０８において、ＱｏＳ処理は、端末に関係付けられるトラフィック・フローに供される。そのように、異なる処理が、端末に関連する異なるトラフィック・フローに対して供されることが可能である。その上、適切なＱｏＳ処理は、アップリンク上で、同様にダウンリンク上で供されることが可能である。方法１２００は、１０１０において終了する。
【００５６】
ここで包括的に図１３−１５に転じて、端末及びそのトラフィック・フローに関する特定のＱｏＳ処理を供することに関連するシステムが、提供される。本システムは、一連の相互に関連する機能ブロックとして表わされ、それはプロセッサ、ソフトウェア、ハードウェア、ファームウェア、又はそれらのいずれかの適した組み合わせによって与えられる機能を表すことが可能である。具体的に図１３を参照して、アクセス・ノードへのプロフィールの提供を容易にするシステム１３００が説明され、そこにおいて、プロフィールは、アクセス・ノードに通信で接続される端末に関係付けられるトラフィック・フローに関するＱｏＳ処理に関連するパラメータを含む。システム１３００は、端末１３０２に関係付けられる識別証印を受信するための（複数の）論理モジュールを含む、ここにおいて、そのような（複数の）モジュールは、１又はそれより多くのアンテナ、メモリ、識別証印を受信することに関係付けられるソフトウェア、ポート、ケーブル又はいずれかの別の好適なソフトウェア、ハードウェア、及び／又はファームウェアを含むことが可能である。システム１３００は、そのうえに識別証印に関係付けられるプロフィールを決定するための（複数の）論理モジュール１３０４を含み、それは例えば、プロセッサを含むことが可能である。それに加えて、そのような（複数の）モジュール１３０４は、メモリ、ハード・ドライブ、ソフトウェア、ファームウェア、及び／又はその他を備えることが可能である。システム１３００は、しかも決定されたプロフィール（同定された端末に割り当てられたプロフィール）をアクセス・ノードへ提供するための（複数の）論理モジュール１３０６を含む。そのような（複数の）モジュール１３０６は、アンテナ、イサーネット・ポート、又はいずれかの他の好適な通信媒体を備えることが可能である。
【００５７】
ここで図１４を参照して、端末において特定のＱｏＳ処理に向けられたトラフィック・フローの受信を容易にするシステム１４００が図示される。システム１４００は、ネットワークへのアクセスを要請するための（複数の）論理モジュール１４０２を含み、ここにおいて、（複数の）モジュールは、アンテナ、プロセッサ、ソフトウェア、等を備えることができる。システム１４００は、そのうえに、アクセス・ノードへ識別証印を提供するための（複数の）論理モジュール１４０４を含み、それは再び、プロセッサ、１又はそれより多くのアンテナ、通信ポート、ソフトウェア、ファームウェア、ハードウェア、及びその他を含むことができる。システムは、さらにＱｏＳ処理に向けられてきているトラフィック・フローを受信するために（複数の）論理モジュール１４０６を含み、ここにおいて、そのような処理は、プロフィールの内容に基づく。そのような（複数の）モジュール１４０６は、例えば、データを送るため／受け取るための通信ポート、アンテナ、メモリ、ソフトウェア、ハードウェア、ファームウェア、等、を含むことが可能である。再び、示されないが、システム１４００は、しかも１又はそれより多くのアップリンク／ダウンリンク・トラフィック・フローへ特定のＱｏＳ処理を供することに関連する設定情報を受信するための（複数の）論理モジュールを含むことが可能である。それに加えて、システム１４００は、しかもプロフィール内に記述されるＱｏＳ処理に一致するアップリンク・トラフィック・フローを送信するための（複数の）論理モジュールを含むことが可能である。
【００５８】
ここで図１５に転じて、端末に関係付けられるある種のトラフィック・フローへＱｏＳ処理を供することを容易にするシステム１５００が、図示される。システム１５００は、端末そして／又は加入者を同定するデータをＡＡＳへ提供するための（複数の）論理モジュール１５０２を含み、それは、例えば、アンテナ、プロセッサ、又は別の好適なハードウェア／ソフトウェアを具備することが可能である。システム１５００は、そのうえに、端末に関係付けられるプロフィールをＡＡＳから受信するための（複数の）論理モジュール１５０４を含み、それは、例えば、受信機チェーンを含むことが可能である。システム１５００は、さらに、端末に関係付けられているトラフィック・フローにＱｏＳ処理を供するための（複数の）論理モジュール１５０６を含み、それはスケジューリング・アプリケーション、プロセッサ、及び／又はその他、を含むことが可能である。
【００５９】
図１６は、シグナリング１６００の例を図示し、それはエンド・ノード（例えば、無線端末）１６０４がアクセス・ノード１６０２（例えば、基地局）を経由してネットワーク・アクセスを許可されるときに、アクセス・ノード１６０２へプロフィールを提供することに関係して実行されることが可能である。点１６０６においてエンド・ノード１６０４は、ネットワーク・アクセスを要請しているアクセス・ノード１６０２へ信号、信号のグループの一部１６０８、を送る。アクセス・ノード１６０２は、点１６１０において、信号、信号のグループの一部１６０８、を受信し、そしてアクセス制御ノード（例えば、ＡＡＡサーバ）１６１４へ別の１つの信号、信号のグループの一部１６１２、を送り、エンド・ノード１６０４によるネットワーク・アクセスのための要請を指示する。アクセス制御ノード１６１４は、点１６１６において信号、信号のグループの一部１６１２、を受信し、そして、ネットワーク・アクセスがエンド・ノード１６０４に許可されるべきであるかどうかを決定することの必要性に応じて動作を実行する。エンド・ノード１６０４、アクセス・ノード１６０２、及びアクセス制御ノード１６１４は、ネットワーク・アクセスを制御すること、例えば、認証及び認可、の目的のために信号のグループの一部１６０８と１６１２として追加の信号を交換することが可能である。点１６１８においてアクセス制御ノード１６１４は、アクセス・ノード１６０２へ、アクセス許可信号１６２０（例えば、メッセージ）を送って、エンド・ノード１６０４がネットワーク・アクセスを許可されるべきであることを指示する。
【００６０】
アクセス許可信号１６２０は、１又はそれより多くのトラフィック・フローに対するサービスの品質処理に属する情報（例えば、トラフィック・フロー識別基準の仕様、トラフィック・フロー・プロフィール、サービス要求及び／又はサービス制約）を含むことが可能である。例えば、アクセス許可信号１６２０は、図６に示されるようなサービス・セットを含んでいる、図５に示されるようなプロフィールを含むことが可能である、ここで、サービス・セットは、図７に示されるような１又はそれより多くのサービス・クラス定義、及び図８に示されるような１又はそれより多くの加入者サービス定義を含むことが可能である。アクセス・ノード１６０２は、点１６２２においてアクセス許可信号１６２０を受信し、そしてエンド・ノード１６０４へのネットワーク・アクセスを許可する必要に応じて動作を実行し、そしてそれぞれの同定されたトラフィック・フローへサービスの品質を提供することの必要に応じて、適切なアクセス・ノード１６０２とエンド・ノード１６０４の設定（例えば、１又はそれより多くの調節可能なモジュールに関する設定及び／又は１又はそれより多くの調節可能なパラメータに関する値）を決定する。
【００６１】
点１６２４においてアクセス・ノード１６０２は、設定命令信号１６２６（例えば、メッセージ）をエンド・ノード１６０４へ送ることが可能であって、アクセス・ノード１６０２によって決定された設定に対応する設定動作を実行するようにエンド・ノード１６０４に指示する。ある複数の実施形態では、設定命令信号１６２６は、設定情報を含み、それはエンド・ノード１６０４が１又はそれより多くのトラフィック・フローに対応する設定を実行すること、例えば、１又はそれより多くの調節可能なモジュールに関する設定を調節すること及び／又は１又はそれより多くの調節可能なパラメータに関する値を調節すること、を可能にする。設定命令信号１６２６は、エンド・ノード１６０４が、例えば、アクセス・ノード１６０２によって決定される値に１又はそれより多くの内部パラメータの値を設定するように；そして／又はアクセス・ノード１６０２によって決定されたパラメータ値に基づいてエンド・ノード１６０４により決定される値に１又はそれより多くの内部パラメータの値を設定するように、指示する。エンド・ノード１６０４は、点１６２８において設定命令信号１６２６を受信し、そして設定命令信号１６２６により提供される設定情報にしたがって設定動作を実行する。点１６３０においてエンド・ノード１６０４は、設定応答信号１６３２をアクセス・ノード１６０２へ送り、アクセス・ノード１６０２によって指示されるように設定変更がエンド・ノード１６０４により完了したことを示す。アクセス・ノード１６０２は、点１６３４において設定応答信号１６３２を受信することが可能である。
【００６２】
本明細書中に記述された１又はそれより多くの実施形態に関して追加の関係を与えるために、図１７は、通信リンクにより相互接続される複数のノードを備える一例の通信システム１７００を説明するために提供される。システム１７００は、無線リンクを経由して情報を通信するために直交周波数分割多重化（ＯＦＤＭ）信号を使用することができる。しかしながら、別のタイプの信号、例えば、符号分割多元接続（ＣＤＭＡ）信号又は時分割多元接続（ＴＤＭＡ）信号、は、（地上ベースのネットワークにおいて利用される信号とともに）同様に予期される。通信システム１７００内のノードは、通信プロトコル（例えば、インターネット・プロトコル（ＩＰ：Internet Protocol））に基づく信号（例えば、メッセージ）を使用して情報を交換する。システム１７００の通信リンクは、例えば、電線、光ファイバ・ケーブル、及び／又は無線通信技術を使用して、与えられることができる。システム１７００は、複数のエンド・ノード１７０２−１７１２を含み、それは複数のアクセス・ノード１７１４−１７１８を経由して通信システム１７００をアクセスする。エンド・ノード１７０２−１７１２は、例えば、無線通信デバイス又は端末であり得、そしてアクセス・ノード１７１４−１７１８は、無線アクセス・ルータ又は基地局であり得る。通信システム１７００は、しかも複数の別のノード１７２０−１７３０を含み、それらは相互接続性を提供するために、又は特定のサービス又は機能を提供するために使用される。
【００６３】
通信システム１７００は、ネットワーク１７６０を図示し、それはアクセス制御ノード１７２０、移動性サポート・ノード１７２２、方針制御ノード１７２４、及びアプリケーション・サーバ・ノード１７２６を含み、それらの全ては、それぞれ対応するネットワーク・リンク１７３２−１７３８により中間ネットワーク・ノード１７２８に接続される。ある複数の実施形態では、アクセス制御ノード（例えば、遠隔認証ダイアル・イン・ユーザ・サービス（ＲＡＤＩＵＳ：Remote Authentication Dial In User Service）又はダイアメータ・サーバ）は、エンド・ノード及び／又はエンド・ノードに関係するサービスの認証、認可、及び／又はアカウンティングをサポートする。ある複数の実施形態では、移動性サポート・ノード１７２２（例えば、モービルＩＰホーム・エージェント及び／又はコンテクスト伝達サーバ）は、例えば、エンド・ノードへ／からのトラフィックの切り替え、及び／又は複数のアクセス・ノード間のエンド・ノードに関係する状態の移動を経由して、複数のアクセス・ノード間でのエンド・ノードの移動性（例えば、ハンドオフ）をサポートする。ある複数の実施形態では、方針制御ノード１７２４（例えば、方針サーバ又は方針決定点（ＰＤＰ：Policy Decision Point））は、サービス又はアプリケーション層セッションのための方針認可をサポートする。ある複数の実施形態では、アプリケーション・サーバ・ノード１７２６（例えば、セッション・イニシエーション・プロトコル・サーバ、ストリーミング媒体サーバ、又は他のアプリケーション層サーバ）は、エンド・ノードに対して利用可能なサービスのためのセッション・シグナリングをサポートする、そして／又はエンド・ノードに対して利用可能なサービス又はコンテントを提供する。
【００６４】
ネットワーク１７６０内の中間ネットワーク・ノード１７２８は、ネットワーク１７６０の観点からネットワーク・リンク１７３４を経由して外部にあるネットワーク・ノードへの相互接続性を提供する。ネットワーク・リンク１７３４は、中間ネットワーク・ノード１７３０に接続され、それはそれぞれネットワーク・リンク１７３６−１７４０を経由してアクセス・ノード１７１４，１７１６と１７１８へのさらなる接続性を提供する。各アクセス・ノード１７１４−１７１８は、それぞれ対応するアクセス・リンク１７４２−１７５２を経由して、それぞれエンド・ノード１７０２−１７１２への接続性を提供するように図示されている。通信システム１７００において、各アクセス・ノード１７１４−１７１８は、アクセスを提供するために無線技術（例えば、無線アクセス・リンク）を使用するように図示されている。しかしながら、有線技術が、アクセスの提供に関係して同様に利用されることができる。無線通信可能領域（例えば、各アクセス・ノード１７１４−１７１８の通信セル１７５４−１７５８）は、対応するアクセス・ノードを囲んでいる円として図示されている。
【００６５】
通信システム１７００は、本明細書中に説明される様々な実施形態の記述の基本として使用されることができる。代わりの実施形態は、様々なネットワーク・トポロジーを含む、ここで、（ネットワーク・ノード、アクセス・ノード、エンド・ノード、同様に様々な制御ノード、サポート・ノード、及びサーバ・ノードを含む）ノードの数とタイプ、リンクの数とタイプ、及び様々なノード間の相互接続性は、通信システム１７００のそれとは異なることがある。それに加えて、通信システム１７００内に図示された機能エンティティのあるものは、省略される又は組み合わせられることができる。これらの機能エンティティの場所又は配置は、同様に変えられることができる。
【００６６】
図１８は、一例のエンド・ノード１８００（例えば、無線端末）の説明を提供する。エンド・ノード１８００は、エンド・ノード１７０２−１７１２（図１７）のうちのいずれか１つとして使用されることができる装置の表示である。エンド・ノード１８００は、バス１８１０によって相互に接続されたプロセッサ１８０２、無線通信インターフェース・モジュール１８０４、ユーザ入力／出力インターフェース１８０６、及びメモリ１８０８を含む。したがって、バス１８１０を経由して、エンド・ノード１８００の様々な構成要素は、情報、信号及びデータを交換することが可能である。エンド・ノード１８００の構成要素１８０２−１８０８は、ハウジング１８１２の内部に置かれることができる。
【００６７】
無線通信インターフェース・モジュール１８０４は、エンド・ノード１８００の内部構成要素が外部デバイス及びネットワーク・ノード（例えば、アクセス・ノード）へ信号を送り／そこから受信することができる機構を提供する。無線通信インターフェース・モジュール１８０４は、例えば、無線通信チャネルを経由して別のネットワーク・ノードへエンド・ノード１８００を接続するために使用する、例えば、対応する受信アンテナ１８１６を有する受信機モジュール１８１４及び対応する送信アンテナ１８２０を有する送信機モジュール１８１８を含む。
【００６８】
エンド・ノード１８００は、しかも、ユーザ入力デバイス１８２２（例えば、キーパッド）及びユーザ出力デバイス１８２４（例えば、ディスプレイ）含み、それらはユーザ入力／出力インターフェース１８０６を経由してバス１８１０に接続される。そのように、ユーザ入力／出力デバイス１８２２と１８２４は、ユーザ入力／出力インターフェース１８０６とバス１８１０を経由してエンド・ノード１８００の他の構成要素と情報、信号、及びデータを交換することが可能である。ユーザ入力／出力インターフェース１８０６及び関係するデバイス１８２２と１８２４は、ユーザが様々なタスクを達成するためにそれによってエンド・ノード１８００を動作さることが可能な機構を提供する。特に、ユーザ入力デバイス１８２２及びユーザ出力デバイス１８２４は、ユーザがエンド・ノード１８００及びアプリケーション（例えば、モジュール、プログラム、ルーチン及び／又は機能（エンド・ノード１８００のメモリ１８０８において実行する））を制御することを可能にする機能を提供する。
【００６９】
メモリ１８０８に含まれる様々なモジュール（例えば、ルーチン）の制御の下で、プロセッサ１８０２は、エンド・ノード１８００の動作を制御して、様々なシグナリングと処理を実行する。メモリ１８０８中に含まれるモジュールは、スタートアップ時に又は他のモジュールによって呼び出されるときに実行される。モジュールは、実行されるときにデータ、情報、及び信号を交換することができる。モジュールは、しかも、実行されるときにデータ及び情報を共有することができる。エンド・ノード１８００のメモリ１８０８は、制御シグナリング・モジュール１８２６、アプリケーション・モジュール１８２８、及びトラフィック制御モジュール１８３０を含み、トラフィック制御モジュール１８３０はさらに、設定情報１８３２及び様々な追加のモジュールを含む。
【００７０】
制御シグナリング・モジュール１８２６は、例えば、トラフィック制御モジュール１８３０、同様に、設定情報１８３２及び含まれる様々な追加モジュール、を含んでいるエンド・ノード１８００の様々な態様の動作及び／又は設定を制御するための信号（例えば、メッセージ）を受信すること及び送ることに関連する処理を制御する。ある複数の実施形態では、制御シグナリング・モジュール１８２６は、エンド・ノード１８００の動作に関連する状態情報（例えば、パラメータ、ステータス及び／又は他の情報）を、及び／又は制御シグナリング・モジュール１８２６によってサポートされる１又はそれより多くのシグナリング・プロトコルを含むことが可能である。特に、制御シグナリング・モジュール１８２６は、設定情報（例えば、エンド・ノード識別情報及び／又はパラメータ設定）及び動作情報（例えば、現在の処理状態に関する情報、未決のメッセージ・トランザクション、等）を含むことができる。
【００７１】
アプリケーション・モジュール１８２８は、エンド・ノード１８００によってサポートされる１又はそれより多くのアプリケーションに関連する処理及び通信を制御する。ある複数の実施形態では、アプリケーション・モジュール１８２８処理は、ユーザ入力／出力インターフェース１８０６を経由する情報の入力／出力に関連するタスク、アプリケーションに付随する情報の操作、及び／又はアプリケーションに関係する信号（例えば、メッセージ）を受信すること又は送ること、を含むことが可能である。ある複数の実施形態では、アプリケーション・モジュール１８２８は、アプリケーション・モジュール１８２８によってサポートされる１又はそれより多くのアプリケーションの動作に関連する状態情報（例えば、パラメータ、ステータス及び／又は他の情報）を含む。特に、アプリケーション・モジュール１８２８は、設定情報（例えば、ユーザ識別情報及び／又はパラメータ設定）及び動作情報（例えば、現在の処理状態に関する情報、未決の応答、等）を含むことができる。アプリケーション・モジュール１８２８によってサポートされるアプリケーションは、例えば、ボイス・オーバーＩＰ（ＶｏＩＰ）、ウェブ・ブラウジング、オーディオ／ビデオのストリーミング、インスタント・メッセージ通信、ファイル共有、ゲーム、等、を含む。
【００７２】
トラフィック制御モジュール１８３０は、無線通信インターフェース・モジュール１８０４を経由してデータ情報（例えば、メッセージ、パケット、及び／又はフレーム）を受信すること及び送ることに関連する処理を制御する。例のトラフィック制御モジュール１８３０は、設定情報１８３２を含み、同様に、パケット及び／又はトラフィック・フロー（例えば、付随するパケットのシーケンス）に関するＱｏＳの様々な態様を制御する様々な追加のモジュールを含む。様々な追加モジュールは、ある複数の実施形態では、トラフィック制御の特定の態様をサポートするために必要に応じて特定の機能及び動作を実行するために含まれる。モジュールは、トラフィック制御の機能的必要条件にしたがって必要に応じて省略される及び／又は複合されることができる。トラフィック制御モジュール１８３０に含まれる各追加モジュールの説明が続く。
【００７３】
承認制御モジュール１８３４は、リソース利便性／利用可能性に関連する情報を維持管理し、そして十分なリソースが特定のトラフィック・フローに望ましくは関係してＱｏＳパラメータをサポートするために利用可能であるかどうかを判断する。承認制御モジュール１８３４によって維持管理されるリソース利用可能性情報は、例えば、パケット及び／又はフレーム待ち行列能力、スケジューリング能力、同様に１又はそれより多くのトラフィック・フローをサポートするために必要な処理能力及びメモリ能力、を含む。制御シグナリング・モジュール１８２６、アプリケーション・モジュール１８２８、及び／又はエンド・ノード１８００に含まれる他のモジュールは、十分なリソースが新たな又は変更されたトラフィック・フローをサポートするために利用可能であるかどうかを判断するために、承認制御モジュール１８３４に問い合わせることができる、ここで、承認制御判断は、特定のトラフィック・フローのＱｏＳパラメータとプロフィール内で定められるＱｏＳパラメータの関数である。設定情報１８３２は、承認制御モジュール１８３４（例えば、追加の要請を拒絶する前に割り当てられることができるリソースの割合を指示する承認制御しきい値）の動作に影響を及ぼす設定情報（例えば、パラメータ設定）を含むことが可能である。
【００７４】
アップリンク・スケジューラ・モジュール１８３６は、例えば、エンド・ノード１８００からアクセス・ノードへ、無線通信インターフェース・モジュール１８０４を経由して送られようとしているデータ情報（例えば、メッセージ、パケット、及び／又はフレーム）に対する送信スケジューリング（例えば、順番及び／又はタイミング）に関連する処理、及び送信リソースの割り当て（例えば、情報コーディング・レート、送信時間スロット、及び／又は送信出力）を制御する。アップリンク・スケジューラ・モジュール１８３６は、送信をスケジュールすることが可能であり、そして１又はそれより多くのトラフィック・フローに関係付けられるＱｏＳパラメータの関数として送信リソースを割り当てることが可能である。ある複数の実施形態では、アップリンク・スケジューラ・モジュール１８３６によって実行されるスケジューリング及び／又はリソース割り当て動作は、さらにチャネル状態及び他の要因（例えば、電力枠（power budget））の関数である。
【００７５】
アップリンクＰＨＹ／ＭＡＣモジュール１８３８は、例えば、エンド・ノード１８００からアクセス・ノードへ、無線通信インターフェース・モジュール１８０４を経由してデータ情報（例えば、メッセージ、パケット、及び／又はフレーム）を送ることに関連する物理（ＰＨＹ）層処理及び媒体アクセス制御（ＭＡＣ：Media Access Control）層処理を制御する。例えば、アップリンクＰＨＹ／ＭＡＣモジュール１８３８の動作は、データ情報（例えば、メッセージ、パケット、及び／又はフレーム）を送ることを調整するために、制御情報（例えば、信号又はメッセージ）を送ることと受信することの両方を含む。設定情報１８３２は、アップリンクＰＨＹ／ＭＡＣモジュール１８３８（例えば、周波数、帯域、チャネル、送信のために使用されようとしている拡散コード又はホッピング・コード、エンド・ノード１８００に関係付けられる識別子、割り当て要請チャネルの使用を指定する要請辞書、等）の動作に影響を及ぼす設定情報（例えば、パラメータ設定）を含むことが可能である。
【００７６】
アップリンクＬＬＣ（ＡＲＱ）モジュール１８４０は、例えば、エンド・ノード１８００からアクセス・ノードへ、無線通信インターフェース・モジュール１８０４を経由してデータ情報（例えば、メッセージ、パケット、及び／又はフレーム）を送ることに関連する論理リンク制御（ＬＬＣ：Logical Link Control）層処理を制御する。アップリンクＬＬＣ（ＡＲＱ）モジュール１８４０は、自動繰り返し要請（ＡＲＱ：Automatic Repeat Request）能力（例えば、脱落パケット又はフレームの再送信）に関係する処理を含む。アップリンクＬＬＣ（ＡＲＱ）モジュール１８４０は、例えば、高次層メッセージ（例えば、パケット）へのＬＬＣヘッダ／トレーラの追加に関連する処理をさらに含むことが可能であり、追加の機能（例えば、タイプ・フィールドによるマルチ−プロトコル多重化／逆多重化、又はチェックサム・フィールドの利用を通したエラー検出）を提供する。アップリンクＬＬＣ（ＡＲＱ）モジュール１８４０は、複数の下位部分（例えば、アップリンクＰＨＹ／ＭＡＣモジュール１８４０に送られようとしているフレーム）への高次層メッセージ（例えば、パケット）の細分化をさらに実行することが可能である。設定情報１８３２は、アップリンクＬＬＣ（ＡＲＱ）モジュール１８４０の動作に影響を及ぼす設定情報（例えば、ＡＲＱウィンドウ・サイズ、再送信の最大数、破棄（discard）タイマ、等）を含むことが可能である。
【００７７】
アップリンク待ち行列管理モジュール１８４２は、例えば、エンド・ノード１８００からアクセス・ノードへ、無線通信インターフェース・モジュール１８０４を経由して送られようとしているデータ情報に関連する情報を維持管理し、そして処理を制御する。アップリンク待ち行列管理モジュール１８４２は、例えば、送信を待っているデータ情報の格納を制御し、そして、トラフィック・フロー当たりのベースで送信を待っているデータ情報に関する状態情報を維持管理する、例えば、各トラフィック・フローに関係するパケットは、別々の待ち行列に格納されることができる。例えば、アップリンク待ち行列管理モジュール１８４２は、様々な待ち行列管理技術及び／又は能力（例えば、ヘッド欠落、テール欠落）、同様にランダム早期検出（ＲＥＤ：Random Early Detection）のような様々なアクティブ待ち行列管理（ＡＱＭ：Active Queue Management）機構をサポートする。設定情報１８３２は、アップリンク待ち行列管理モジュール１８４２の動作に影響を及ぼす設定情報（例えば、１又はそれより多くのトラフィック・フローに関係付けられる待ち行列限度、欠落方針（drop strategy）、及び／又はＡＱＭしきい値）を含むことが可能である。
【００７８】
アップリンク分類モジュール１８４４は、例えば、エンド・ノード１８００からアクセス・ノードへ、無線通信インターフェース・モジュール１８０４を経由して送られる前に、特定のトラフィック・フローに属しているとしてデータ情報の識別に関連する処理を制御する。ある複数の実施形態では、無線通信インターフェース・モジュール１８０４の利用を通して送られようとしているメッセージ、パケット、及び／又はフレームは、１又はそれより多くのヘッダ及び／又はペイロード・フィールドの検査に基づいてアップリンク分類モジュール１８４４によって様々なトラフィック・フローのうちの１つに属するように分類される。アップリンク分類モジュール１８４４による分類の結果は、アップリンク待ち行列管理モジュール１８４２、同様にメモリ１８０８内の他のモジュールにより分類されたデータ情報の処理に影響を及ぼすことが可能である。例えば、結果は、メッセージ、パケット、及び／又はフレームが格納のために関係付けられる特定の待ち行列を決定することができ、そしてスケジューリングのような引き続く処理にさらに影響を及ぼすことがある。設定情報は、アップリンク分類モジュール１８４４の動作に影響を及ぼす設定情報、例えば、１又はそれより多くのトラフィック・フローに属しているとして、データ情報（例えば、メッセージ、パケット、及び／又はフレーム）を関係付けるために使用する基準を指定する１又はそれより多くの分類フィルタ規則の集合、を含むことが可能である。
【００７９】
ダウンリンクＰＨＹ／ＭＡＣモジュール１８４６は、無線通信インターフェース・モジュール１８０４を経由してデータ情報を受信することに関連するＰＨＹ層及びＭＡＣ層処理を制御する。ダウンリンクＰＨＹ／ＭＡＣモジュール１８４６の動作は、データ情報を受信することを調整するために制御情報を送ることと受信することの両方を含むことが可能である。設定情報１８０４は、ダウンリンクＰＨＹ／ＭＡＣモジュール１８４６の動作に影響を及ぼす設定情報（例えば、周波数、帯域、チャネル、受信のために使用しようとしている拡散コード又はホッピング・コード、エンド・ノード１８００に関係する識別子、等）を含むことが可能である。
【００８０】
ダウンリンクＬＬＣ（ＡＲＱ）モジュール１８４８は、無線通信インターフェース・モジュール１８０４を経由してデータ情報を受信することに関連するＬＬＣ層処理を制御する。ダウンリンクＬＬＣ（ＡＲＱ）モジュール１８４８は、ＡＲＱ能力（例えば、脱落パケット又はフレームの再送信）に関係する処理を含む。例えば、ダウンリンクＬＬＣ（ＡＲＱ）モジュール１８４８は、追加の機能（例えば、タイプ・フィールドを通したマルチ−プロトコル多重化／逆多重化又はチェックサム・フィールドによるエラー検出）を提供する高次層メッセージをカプセル化するＬＬＣヘッダ及び／又はトレーラに関連する処理をさらに含むことが可能である。ダウンリンクＬＬＣ（ＡＲＱ）モジュール１８４８は、ダウンリンクＰＨＹ／ＭＡＣモジュール１８４６によって受信されたフレームのより高次層メッセージへの再アセンブルを同様に実行することが可能である。設定情報１８３２は、例えば、ダウンリンクＬＬＣ（ＡＲＱ）モジュール１８４８（例えば、ＡＲＱウィンドウ・サイズ、再送信の最大数、破棄タイマ、等）の動作に影響を及ぼす設定情報（例えば、パラメータ設定）を含むことが可能であり、そしてある複数の実施形態では行っている。
【００８１】
図１９は、本発明にしたがって実装される一例のアクセス・ノード１９００の詳細な図を提供する。アクセス・ノード１９００は、図１７に図示されたアクセス・ノード１７１４−１７１８のうちのいずれか１として使用されることができる装置の詳細な表示である。図１９の実施形態では、アクセス・ノード１９００は、バス１９１０によって相互に接続されたプロセッサ１９０２、メモリ１９０４、ネットワーク／ネットワーク間インターフェース・モジュール１９０６、及び無線通信インターフェース・モジュール１９０８を含む。したがって、バス１９１０を経由して、アクセス・ノード１９００の様々な構成要素は、情報、信号及びデータを交換することが可能である。アクセス・ノード１９００の構成要素１９０２−１９０８は、ハウジング１９１２の内部に置かれる。
【００８２】
ネットワーク／ネットワーク間インターフェース・モジュール１９０６は、アクセス・ノード１９００の内部構成要素が信号を外部デバイス及びネットワーク・ノードへ送り／そこから受信することができる機構を提供する。ネットワーク／ネットワーク間インターフェース・モジュール１９０６は、例えば、銅配線又は光ファイバ回線を経由して別のネットワーク・ノードへノード１９００を接続するために使用する受信機モジュール１９１４及び送信機モジュール１９１９を含む。無線通信インターフェース・モジュール１９０８は、同様に、アクセス・ノード１９００の内部構成要素が外部デバイス及びネットワーク・ノード（例えば、エンド・ノード）へ信号を送り／そこから受信することができる機構を提供する。無線通信インターフェース・モジュール１９０８は、例えば、対応する受信アンテナ１９２０を有する受信機モジュール１９１８及び対応する送信アンテナ１９２４を有する送信機モジュール１９２２を含む。無線通信インターフェース・モジュール１９０８は、例えば、無線通信チャネルを経由して別のネットワーク・ノードへアクセス・ノード１９００を接続するために使用される。
【００８３】
メモリ１９０４に含まれる様々なモジュール（例えば、ルーチン）の制御の下で、プロセッサ１９０２は、アクセス・ノード１９００の動作を制御して、様々なシグナリングと処理を実行する。メモリ１９０４中に含まれるモジュールは、スタートアップ時に又は他のモジュールによって呼び出されるときに実行される。モジュールは、実行されたときにデータ、情報、及び信号を交換することができる。モジュールは、しかも、実行されたときにデータ及び情報を共有することができる。図１９の実施形態では、アクセス・ノード１９００のメモリ１９０４は、制御シグナリング・モジュール１９２６及びトラフィック制御モジュール１９２８を含み、トラフィック制御モジュール１９２８はさらに、設定情報１９３０及び様々な追加のモジュール１９３２−１９５４を含む。
【００８４】
制御シグナリング・モジュール１９２６は、例えば、トラフィック制御モジュール１９２８、同様に設定情報１９３０及びそこに含まれる様々な追加のモジュール１９３２−１９５４を含んでいるアクセス・ノード１９００の様々な態様の動作及び／又は設定を制御するための信号（例えば、メッセージ）を受信すること及び送ることに関連する処理を制御する。例えば、制御シグナリング・モジュール１９２６は、アクセス・ノード１９００の動作に関連する状態情報（例えば、パラメータ、ステータス及び／又は他の情報を）及び／又は制御シグナリング・モジュール１９２６によってサポートされる１又はそれより多くのシグナリング・プロトコルを含む。特に、制御シグナリング・モジュール１９２６は、設定情報（例えば、アクセス・ノード識別情報及び／又はパラメータ設定）及び動作情報（例えば、現在の処理状態に関する情報、未決のメッセージ・トランザクション、等）を含むことができる。
【００８５】
トラフィック制御モジュール１９２８は、無線通信インターフェース・モジュール１９０８を経由してデータ情報（例えば、メッセージ、パケット、及び／又はフレーム）を受信すること及び送ることに関連する処理を制御する。例えば、トラフィック制御モジュールは、設定情報１９３０を含み、同様に、パケット及び／又はトラフィック・フロー（例えば、付随するパケットのシーケンス）に関するサービスの品質の様々な態様を制御する様々な追加のモジュールを含むことが可能である。ある複数の実施形態では、トラフィック制御モジュール１９２８は、アクセス・ノード１９００、トラフィック制御モジュール１９２８、及び／又はその中に含まれる１又はそれより多くの様々な追加モジュール１９３２−１９５４の動作に関連する状態情報（例えば、パラメータ、ステータス及び／又は他の情報）を含む。設定情報１９３０（例えば、パラメータ設定）は、トラフィック制御モジュール１９２８及び／又はその中に含まれる１又はそれより多くの様々な追加モジュール１９３２−１９５４の動作を決定し、影響を及ぼし、そして／又は指定する。ある複数の実施形態では、様々な追加モジュールが含まれ、トラフィック制御の特定の態様をサポートするために必要に応じて特定の機能及び動作を実行する。様々な実施形態において、複数のモジュールが、トラフィック制御の機能的要求に応じて、必要に応じて省略される及び／又は組み合わせられることができる。トラフィック制御モジュール１９２８に含まれる各追加モジュールの説明が続く。
【００８６】
承認制御モジュール１９３２は、リソース利便性／利用可能性に関連する情報を維持管理し、そして十分なリソースが特定のトラフィック・フローのサービス要求をサポートするために利用可能であるかどうかを判断する。承認制御モジュール１９３２によって維持管理されるリソース利用可能性情報は、例えば、パケット及び／又はフレーム待ち行列能力、スケジューリング能力、同様に、１又はそれより多くのトラフィック・フローをサポートするために必要な処理能力及びメモリ能力、を含む。制御シグナリング・モジュール１９２６及び／又はアクセス・ノード１９００に含まれる他のモジュールは、十分なリソースが新たなトラフィック・フロー又は変更されたトラフィック・フローをサポートするために利用可能であるかどうかを判断するために、承認制御モジュール１９３２に問い合わせることができ、ここで、承認制御判断は、特定のトラフィック・フローのサービス要求の品質及び／又は利用可能なリソースの関数である。設定情報１９３０は、承認制御モジュール１９３２の動作（例えば、追加の要請を拒絶する前に割り当てられることができるリソースの割合を指示する承認制御しきい値）に影響を及ぼす設定情報（例えば、パラメータ設定）を含むことが可能である。
【００８７】
アップリンク・スケジューラ・モジュール１９３４は、無線インターフェース・モジュール１９０８を経由して１又はそれより多くのエンド・ノードからアクセス・ノードへ送られようとしているデータ情報（例えば、メッセージ、パケット、及び／又はフレーム）に対する送信スケジューリング（例えば、順番及び／又はタイミング）及び送信リソース（例えば、情報コーディング・レート、送信時間スロット、及び／又は送信出力）の割り当て、に関連する処理を制御する。アップリンク・スケジューラ・モジュール１９３４は、送信をスケジュールすることが可能であり、そして１又はそれより多くのトラフィック・フロー及び／又は１又はそれより多くのエンド・ノードに関係付けられるサービスの品質要求及び／又は制約の関数として送信リソースを割り当てることが可能である。設定情報１９３０は、アップリンク・スケジューラ・モジュール１９３４の動作に影響を及ぼす設定情報（例えば、１又はそれより多くのトラフィック・フロー及び／又はエンド・ノードに関係付けられる優先順位、レート限界、待ち時間限界、及び／又は分配加重）を含むことが可能である。ある複数の実施形態では、アップリンク・スケジューラ・モジュール１９３４によって実行されるスケジューリング及び／又はリソース割り当て動作は、さらにチャネル状態及び他の要因（例えば、電力枠）の関数である。
【００８８】
ダウンリンク・スケジューラ・モジュール１９３６は、無線インターフェース・モジュール１９０８を経由してアクセス・ノード１９００から１又はそれより多くのエンド・ノードへ送られようとしているデータ情報（例えば、メッセージ、パケット、及び／又はフレーム）に対する送信スケジューリング（例えば、順番及び／又はタイミング）及び送信リソース（例えば、情報コーディング・レート、送信時間スロット、及び／又は送信出力）の割り当て、に関連する処理を制御する。ダウンリンク・スケジューラ・モジュール１９３６は、送信をスケジュールすることが可能であり、そして１又はそれより多くのトラフィック・フロー及び／又は１又はそれより多くのエンド・ノードに関係付けられるサービスの品質要求及び／又は制約の関数として送信リソースを割り当てることが可能である。設定情報１９３０は、ダウンリンク・スケジューラ・モジュール１９３６の動作に影響を及ぼす設定情報（例えば、１又はそれより多くのトラフィック・フロー及び／又はエンド・ノードに関係付けられる優先順位、レート限界、待ち時間限界、及び／又は分配加重）を含むことが可能である。ある複数の実施形態では、ダウンリンク・スケジューラ・モジュール１９３６によって実行されるスケジューリング及び／又はリソース割り当て動作は、さらにチャネル状態及び他の要因（例えば、電力枠）の関数である。
【００８９】
アップリンク・トラフィック調整モジュール１９３８は、例えば、エンド・ノードからアクセス・ノード１９００へ、無線インターフェース・モジュール１９０８を経由して受信するデータ情報（例えば、メッセージ、パケット、及び／又はフレーム）に対するトラフィック調整（例えば、測定調整すること、マーキング、方針を決めること（policing）、等）に関連する処理を制御する。アップリンク・トラフィック調整モジュール１９３８は、１又はそれより多くのトラフィック・フロー及び／又は１又はそれより多くのエンド・ノードに関係付けられるサービスの品質要求及び／又は制約の関数としてトラフィックを調整する（例えば、測定調整する、マークする、方針を決める）ことが可能である。設定情報１９３０は、１又はそれより多くのトラフィック・フロー及び／又はエンド・ノードに関係付けられるアップリンク・トラフィック調整モジュール１９３８の動作に影響を及ぼす設定情報（例えば、レート限度）及び／又はマーキング値を含むことが可能である。
【００９０】
アップリンク分類モジュール１９４０は、アップリンク・トラフィック調整モジュール１９３８により処理される前に特定のトラフィック・フローに属しているとして、例えば、エンド・ノードからアクセス・ノード１９００へ、無線インターフェース・モジュール１９０８を経由して受信されるデータ情報（例えば、メッセージ、パケット、及び／又はフレーム）の同定に関連する処理を制御する。ある複数の実施形態では、無線通信インターフェース・モジュール１９０８を経由して受信されるメッセージ、パケット、及び／又はフレームは、１又はそれより多くのヘッダ及び／又はペイロード・フィールドの検査に基づいてアップリンク分類モジュール１９４０によって様々なトラフィック・フローのうちの１つに属するように分類される。アップリンク分類モジュール１９４０による分類の結果は、アップリンク・トラフィック調整モジュール１９３８によって分類されたデータ情報（例えば、メッセージ、パケット、及び／又はフレーム）の処理に影響を及ぼすことが可能であり、例えば、結果は、特定のデータ構造又はステート・マシーンを決定することができ、メッセージ、パケット、及び／又はフレームは、測定調整すること、マーキング、及び／又は方針を決めることのような、引き続く処理に関係付けられそしてさらに影響を及ぼす。設定情報１９３０は、アップリンク分類モジュール１９４０の動作に影響を及ぼす設定情報（例えば、１又はそれより多くのトラフィック・フローに属しているとして、データ情報（例えば、メッセージ、パケット、及び／又はフレーム）を関係付けるために使用する基準を指定する１又はそれより多くの分類フィルタ規則の集合）を含むことが可能である。
【００９１】
アップリンクＬＬＣ（ＡＲＱ）モジュール１９４２は、例えば、エンド・ノードからアクセス・ノード１９００へ、無線通信インターフェース・モジュール１９０８を経由してデータ情報（例えば、パケット及び／又はフレーム）を受信することに関連するＬＬＣ層処理を制御する。アップリンクＬＬＣ（ＡＲＱ）モジュール１９４２は、ＡＲＱ能力（例えば、脱落パケット又はフレームの再送信）に関係する処理を含む。ある複数の実施形態では、アップリンクＬＬＣ（ＡＲＱ）モジュール１９４２は、高次層メッセージ（例えば、パケット）をカプセル化するＬＬＣヘッダ／トレーラに関連する処理をさらに含み、それは追加の機能（例えば、タイプ・フィールドを通したマルチ−プロトコル多重化／逆多重化又はチェックサム・フィールドを通したエラー検出）を提供する。アップリンクＬＬＣ（ＡＲＱ）モジュール１９４２は、しかも、アップリンクＰＨＹ／ＭＡＣモジュール１９４４によって受信されたフレームのより高次層メッセージ（例えば、パケット）への再アセンブルを実行することが可能である。設定情報１９３０は、アップリンクＬＬＣ（ＡＲＱ）モジュール１９４２の動作に影響を及ぼす設定情報（例えば、ＡＲＱウィンドウ・サイズ、再送信の最大数、破棄タイマ、等）を含むことが可能である。
【００９２】
アップリンクＰＨＹ／ＭＡＣモジュール１９４４は、例えば、エンド・ノードからアクセス・ノード１９００への、無線通信インターフェース・モジュール１９０８を経由してデータ情報（例えば、パケット及び／又はフレーム）を受信することに関連するＰＨＹ層処理及びＭＡＣ層処理を制御する。ある複数の実施形態では、アップリンクＰＨＹ／ＭＡＣモジュール１９４４の動作は、データ情報（例えば、メッセージ、パケット、又はフレーム）を受信することを調整するための制御情報（例えば、信号又はメッセージ）を送ることと受信することの両方を含む。設定情報１９３０は、アップリンクＰＨＹ／ＭＡＣモジュール１９４４の動作に影響を及ぼす設定情報（例えば、周波数、帯域、チャネル、受信のために使用されるべき拡散コード又はホッピング・コード、アクセス・ノード１９００に関係付けられる識別子、等）を含むことが可能である。
【００９３】
ダウンリンク分類モジュール１９４６は、例えば、アクセス・ノード１９００からエンド・ノードへ無線通信インターフェース・モジュール１９０８を経由して送られる前に、特定のトラフィック・フローに属しているとしてデータ情報（例えば、メッセージ、パケット、及び／又はフレーム）の同定に関連する処理を制御する。ある複数の実施形態では、無線通信インターフェース・モジュール１９０８を通して送られようとしているメッセージ、パケット、及び／又はフレームは、１又はそれより多くのヘッダ及び／又はペイロード・フィールドの検査に基づいてダウンリンク分類モジュール１９４６によって様々なトラフィック・フローのうちの１つに属するように分類される。ダウンリンク分類モジュール１９４６による分類の結果は、ダウンリンク待ち行列管理モジュール１９５０及び他のモジュール１９４８，１９５２及び１９５４による分類されたデータ情報（例えば、メッセージ、パケット、及び／又はフレーム）の処理に影響を及ぼすことが可能であり、例えば、結果は、特定の待ち行列を決定することができ、メッセージ、パケット、及び／又はフレームは、格納のために関係付けられ、そしてスケジューリングのような引き続く処理にさらに影響を及ぼすことがある。設定情報１９３０は、１又はそれより多くのトラフィック・フローに属しているとして、ダウンリンク分類モジュール１９４６（例えば、データ情報（例えば、メッセージ、パケット、及び／又はフレーム）を関係付けるために使用する基準を指定する１又はそれより多くの分類フィルタ規則の集合）の動作に影響を及ぼす設定情報（例えば、パラメータ）を含むことが可能である。
【００９４】
ダウンリンク・トラフィック調整モジュール１９４８は、例えば、アクセス・ノード１９００からエンド・ノードへ、無線インターフェース・モジュール１９０８を経由して送られようとしているデータ情報（例えば、メッセージ、パケット、及び／又はフレーム）に対するトラフィック調整（例えば、測定調整すること、マーキング、方針を決めること、等）に関連する処理を制御する。ダウンリンク・トラフィック調整モジュール１９４８は、１又はそれより多くのトラフィック・フロー及び／又は１又はそれより多くのエンド・ノードに関係付けられるサービスの品質要求及び／又は制約の関数としてトラフィックを調整する（例えば、測定調整する、マークする、方針を決める）ことが可能である。設定情報１９３０は、ダウンリンク・トラフィック調整モジュール１９４８の動作に影響を及ぼす設定情報（例えば、１又はそれより多くのトラフィック・フロー及び／又はエンド・ノードに関係付けられるレート限度、及び／又はマーキング値）を含むことが可能である。
【００９５】
ダウンリンク待ち行列管理モジュール１９５０は、情報を維持管理し、そして例えば、アクセス・ノード１９００からエンド・ノードへ、無線通信インターフェース・モジュール１９０４を経由して送られようとしているデータ情報（例えば、メッセージ、パケット、及び／又はフレーム）の格納に関連する処理を制御する。ダウンリンク待ち行列管理モジュールは、例えば、送信を待っているデータ情報の格納を制御することが可能であり、そしてトラフィック・フロー毎のベースで送信を待っているデータ情報に関する状態情報を維持管理する、例えば、各トラフィック・フローに関係するパケットは、別々の待ち行列に格納されることができる。ある複数の実施形態では、ダウンリンク待ち行列管理モジュール１９５０は、様々な待ち行列管理技術及び／又は能力（例えば、ヘッド欠落、テール欠落）、同様にＲＥＤのような様々なＡＱＭ機構をサポートする。設定情報１９３０は、ダウンリンク待ち行列管理モジュール１９５２の動作に影響を及ぼす設定情報（例えば、待ち行列限度、欠落方針（drop strategy）、及び／又は１又はそれより多くのトラフィック・フローに関係付けられるＡＱＭしきい値）を含むことが可能である。
【００９６】
ダウンリンクＬＬＣ（ＡＲＱ）モジュール１９５２は、例えば、アクセス・ノード１９００からエンド・ノードへ、無線通信インターフェース・モジュール１９０４を経由してデータ情報（例えば、メッセージ、パケット、及び／又はフレーム）を送ることに関連するＬＬＣ層処理を制御する。ダウンリンクＬＬＣ（ＡＲＱ）モジュール１９５２は、ＡＲＱ能力（例えば、脱落パケット又はフレームの再送信）に関係する処理を含む。ある複数の実施形態では、ダウンリンクＬＬＣ（ＡＲＱ）モジュール１９５２は、より高次層メッセージ（例えば、パケット）へのＬＬＣヘッダ及び／又はトレーラの追加に関連する処理をさらに含み、追加の機能（例えば、タイプ・フィールドを通したマルチ−プロトコル多重化／逆多重化又はチェックサム・フィールドによるエラー検出）を提供する。ダウンリンクＬＬＣ（ＡＲＱ）モジュール１９５２は、複数の下位部分（例えば、ダウンリンクＰＨＹ／ＭＡＣモジュール１９５４によって送られるべきフレーム）への高次層メッセージ（例えば、パケット）の細分化を同様に実行することが可能である。設定情報１９３０は、ダウンリンクＬＬＣ（ＡＲＱ）モジュール１９５２の動作に影響を及ぼす設定情報（例えば、ＡＲＱウィンドウ・サイズ、再送信の最大数、破棄タイマ、等）を含むことが可能である。
【００９７】
ダウンリンクＰＨＹ／ＭＡＣモジュール１９５４は、例えば、アクセス・ノード１９００からエンド・ノードへ、無線通信インターフェース・モジュール１９０８を経由してデータ情報（例えば、メッセージ、パケット、及び／又はフレーム）を送ることに関連するＰＨＹ層及びＭＡＣ層処理を制御する。ある複数の実施形態では、ダウンリンクＰＨＹ／ＭＡＣモジュール１９５４の動作は、制御情報（例えば、信号又はメッセージ）を送ることと受け取ることの両方を含み、データ情報（例えば、メッセージ、パケット、又はフレーム）を送ることを調整する。設定情報１９３０は、ダウンリンクＰＨＹ／ＭＡＣモジュール１９５４の動作に影響を及ぼす設定情報（例えば、周波数、帯域、チャネル、送信のために使用すべき拡散コード又はホッピング・コード、アクセス・ノード１９００に関係する識別子、等）を含むことが可能である。
【００９８】
図２０は、例のエンド・ノード１８００及び例のアクセス・ノード１９００に含まれる様々なモジュール間の例のシグナリングとトラフィック・フローを説明する。図２０のエンド・ノード１８００及び図２０のアクセス・ノード１９００は、それぞれ、図１８のエンド・ノード１８００及び図１９のアクセス・ノード１９００の単純化した表示である。図２０の例は、データ情報（例えば、メッセージ、パケット、又はフレームの系列を備えるトラフィック・フロー）を送りそして受信するアプリケーション・モジュール１８２８を示す。図１７の例のシステムの状況では、図２０のエンド・ノード１８００は、図１７に図示されたエンド・ノード１７０２−１７１２のうちのいずれか１つであり得て、そして図２０のエンド・ノード１８００に含まれるアプリケーション・モジュール１８２８は、システム中の別の１つのノード（例えば、図１７に示されたような別のエンド・ノード１７０２−１７１２又はアプリケーション・サーバ・ノード１７２６）とデータ情報を交換していることがある。図２０及び引き続く説明では、図２０のエンド・ノード１８００がデータ情報を交換しているノードは、対応するノードと呼ばれる。
【００９９】
エンド・ノード１８００中のアプリケーション・モジュール１８２８から対応するノードへ送るデータ情報（例えば、一連のメッセージ、パケット、又はフレームを備えるトラフィック・フロー）は、一連の矢印２００２−２００８によって示され、処理のためにエンド・ノード１８００中に含まれる一連のモジュール１８３８−１８４４を通り進む、その後で、データ情報は、例えば、無線通信インターフェース・モジュール１８０４を経由して、エンド・ノード１８００からアクセス・ノード１９００へ送られる。例えば、無線通信インターフェース・モジュール１９０８を経由してアクセス・ノード１９００による受信に引き続いて、エンド・ノード１８００中のアプリケーション・モジュール１８２８から対応するノードへ送られるデータ情報（例えば、一連のメッセージ、パケット、又はフレームを備えるトラフィック・フロー）は、一連の矢印２０１０−２０１８によって示され、対応するノードへ向けてアクセス・ノード１９００から転送される前に（例えば、ネットワーク／ネットワーク間インターフェース・モジュール１９０６を経由してアクセス・ノードに接続された中間ノードへルーティング情報にしたがって向けられる前に）処理のためにアクセス・ノード１９００中に含まれる一連のモジュール１９３８−１９４４を通り進む。
【０１００】
対応するノードからエンド・ノード１８２８中のアプリケーション・モジュール１８２８へ送られるデータ情報（例えば、一連のメッセージ、パケット、又はフレームを備えるトラフィック・フロー）は、一連の矢印２０２０−２０２８によって示され、例えば、ネットワーク／ネットワーク間インターフェース・モジュール１９０６を経由して、アクセス・ノード１９００により受信され、そしてそれから、処理のためにアクセス・ノード１９００中に含まれる一連のモジュール１９４６−１９５４を経由して進み、その後で、データ情報は、アクセス・ノード１９００からエンド・ノード１８００へ、例えば、無線通信インターフェース・モジュール１９０８を介して送られる。例えば、無線通信インターフェース・モジュール１８０４を経由して、エンド・ノード１８００による受信に続いて、対応するノードからエンド・ノード１８００中のアプリケーション・モジュール１８２８へ送られるデータ情報（例えば、一連のメッセージ、パケット、又はフレームを備えるトラフィック・フロー）は、一連の矢印２０３０−２０３４により示され、エンド・ノード１８００中のアプリケーション・モジュール１８２８へ配信される前に、処理のためにエンド・ノード１８００中に含まれる一連のモジュール１８４６と１８４８を経由して進む。
【０１０１】
データ情報（例えば、トラフィック・フロー）の交換に加えて、図２０は、制御情報（例えば、シグナリング・フロー及び／又は通信インターフェース）の交換を同様に図示する。特に、図２０の例は、アクセス・ノード１９００中に含まれる制御シグナリング・モジュール１９２６とトラフィック制御モジュール１９２８との間の制御情報の交換を図示する。同様に、図２０の例は、エンド・ノード１８００中に含まれる制御シグナリング・モジュール１８２６とトラフィック制御モジュール１８３０との間の制御情報の交換を図示する。アクセス・ノード１９００とエンド・ノード１８００の両方において、示されたような複数のモジュール間の制御情報の交換は、エンド・ノード１８００中のアプリケーション・モジュール１８２８への／それからのデータ情報（例えば、トラフィック・フロー）のサービス処理の適正な品質を提供するために必要に応じて、アクセス／エンド・ノード１９００／１８００中のそれぞれの制御シグナリング・モジュール１９２６／１８２６が、それぞれのトラフィック制御モジュール１９２８／１８３０中に含まれる様々なモジュールの設定及び／又は動作に影響を及ぼす（例えば、設定する、変更する、及び／又はモニタする）ことを可能にする。
【０１０２】
制御情報（例えば、シグナリング・フロー及び／又は通信インターフェース）の交換は、ａ）別の１つのノードとアクセス・ノード１９００中の制御シグナリング・モジュール１９２６との間で、ｂ）エンド・ノード１８００中のアプリケーション・モジュール１８２８とエンド・ノード１８００中の制御シグナリング・モジュール１８２６との間で、及びｃ）アクセス・ノード１９００とエンド・ノード１８００中のそれぞれの制御シグナリング・モジュール１９２６／１８２６との間でも、同様に示される。これらの制御情報（例えば、シグナリング・フロー及び／又は通信インターフェース）の交換は、アクセス・ノード１９００とエンド・ノード１８００との両方のトラフィック制御モジュール１９２８／１８３０の設定及び／又は動作が、ａ）１又はそれより多くの追加ノード（例えば、アクセス制御ノード１７２０及び／又はアプリケーション・サーバ・ノード１７２６）、ｂ）エンド・ノード１８００中のアプリケーション・モジュール１８２８、又はｃ）１又はそれより多くの追加ノードとエンド・ノード１８００中のアプリケーション・モジュール１８２８との組み合わせ、によって影響を受けるようにすることを可能にする。本発明の様々な実施形態は、必要に応じて図示された制御情報交換の全てを又は部分集合だけをサポートすることができ、そして必ずサポートする。
【０１０３】
上に説明されてきたものは、実施形態の１又はそれより多くの例である。当然のことながら、前述の実施形態を説明する目的のために全ての考え得るコンポーネント又は方法の組み合わせを記述することは不可能であるが、様々な実施形態の複数のさらなる組み合わせ及び置き換えが可能であることを、当業者は認識することができる。したがって、記載された実施形態は、添付された特許請求の範囲の精神及びスコープの範囲内になる全てのそのような代替物、変更及び変形を包含するように意図されている。その上、用語“含む（include）”が詳細な説明又は特許請求の範囲において使用される限りは、“具備する（comprising）”が特許請求の範囲においてつなぎの用語として使用されるときに解釈されるように、かかる用語は、用語“具備する”と同様にある意味で包括的であるように意図される。
【図面の簡単な説明】
【０１０４】
【図１】システムの高レベル・ブロック図であり、端末に通信で接続されるアクセス・ノードへの１又はそれより多くのトラフィック・フローに関係するＱｏＳパラメータを規定するプロフィールの提供を説明するために与えられる。
【図２】システムのブロック図であり、端末に通信で接続されるアクセス・ノードへの１又はそれより多くのトラフィック・フローに関係するＱｏＳパラメータを規定するプロフィールの提供を説明するために与えられる。
【図３】アップリンク及びダウンリンクにおけるＱｏＳ処理を説明するために与えられたシステムのブロック図である。
【図４】一例の無線通信装置を図示する。
【図５】プロフィールの例のコンテンツを図示する。
【図６】加入者サービス・セットに関する一例のフォーマットを図示する。
【図７】サービス・クラス・タイプに関する一例のフォーマットを図示する。
【図８】一例の加入者サービス・タイプを図示する。
【図９】様々なネットワーク構成要素を設定するための方法を説明する代表的なフロー図である。
【図１０】無線端末に割り当てられたプロフィールを有するアクセス・ノードを提供するための方法を説明する代表的なフロー図である。
【図１１】適切なＱｏＳ処理に向けられたトラフィック・フローを受信するための方法を説明する代表的なフロー図である。
【図１２】１又はそれより多くのトラフィック・フローへ適切なＱｏＳ処理を供するための方法を説明する代表的なフロー図である。
【図１３】端末に割り当てられるプロフィールを提供するためのシステムの高レベル・ブロック図である。
【図１４】適切なＱｏＳ処理に向けられたトラフィック・フローを受信するためのシステムのブロック図である。
【図１５】１又はそれより多くのトラフィック・フローへ適切なＱｏＳ処理を供するためのシステムのブロック図である。
【図１６】無線端末（エンド・ノード）に関する認証及び設定を説明する一例のタイミング図である。
【図１７】一例の通信システムを図示する図である。
【図１８】一例のエンド・ノードを図示する図である。
【図１９】一例のアクセス・ノードを図示する図である。
【図２０】一例のアクセス・ノードと通信する一例のエンド・ノードを図示する図である。
【図１】
2009533984.tif 000003
【図２】
2009533984.tif 000004
【図３】
2009533984.tif 000005
【図４】
2009533984.tif 000006
【図５】
2009533984.tif 000007
【図６】
2009533984.tif 000008
【図７】
2009533984.tif 000009
【図８】
2009533984.tif 000010
【図９】
2009533984.tif 000011
【図１０】
2009533984.tif 000012
【図１１】
2009533984.tif 000013
【図１２】
2009533984.tif 000014
【図１３】
2009533984.tif 000015
【図１４】
2009533984.tif 000016
【図１５】
2009533984.tif 000017
【図１６】
2009533984.tif 000018
【図１７】
2009533984.tif 000019
【図１８】
2009533984.tif 000020
【図１９】
2009533984.tif 000021
【図２０】
2009533984.tif 000022
【国際調査報告】
2009533984.tif 000023
2009533984.tif 000024
2009533984.tif 000025